(57)【要約】【課題】  視聴者がテレビ放送を視聴している時に、番組内のキーワードなどに関する情報の提供を受けるシステムを提供する。【解決手段】  放送受信装置と、端末装置と、関連情報配信装置と、を備えるネットワーク端末システムに用いられる端末装置であって、入力部と、放送受信装置から送信された、放送受信装置において選択された番組を識別する第一の番組状態情報を受信する第一の通信Ｉ／Ｆと、第一の番組状態情報に基づき作成された第二の番組状態情報を関連情報配信装置に送信し、第二の番組状態情報を受信した関連情報配信装置により作成された、第二の番組状態情報により識別される番組に関する番組関連情報を受信する第二の通信Ｉ／Ｆと、受信した番組関連情報に含まれるキーワード情報に含まれるキーワードを番組関連情報表示画面に表示し、キーワードが入力手段により選択された場合に、キーワードに関する情報を表示する表示部と、を備えることを特徴とする端末装置を提供する。【選択図】  図１（ａ）
2014116869.tif 000002
【特許請求の範囲】
【請求項１】
放送受信装置と、端末装置と、関連情報配信装置と、を備えるネットワーク端末システムに用いられる端末装置であって、
入力部と、
前記放送受信装置から送信された、前記放送受信装置において選択された番組を識別する第一の番組状態情報を受信する第一の通信Ｉ／Ｆと、
前記第一の番組状態情報に基づき作成された第二の番組状態情報を前記関連情報配信装置に送信し、前記第二の番組状態情報を受信した関連情報配信装置により作成された、前記第二の番組状態情報により識別される番組に関する番組関連情報を受信する第二の通信Ｉ／Ｆと、
受信した前記番組関連情報に含まれるキーワード情報に含まれるキーワードを番組関連情報表示画面に表示し、前記キーワードが入力手段により選択された場合に、前記キーワードに関する情報を表示する表示部と、
を備えることを特徴とする端末装置。
【請求項２】
前記番組関連情報は、前記第二の番組状態情報により識別される番組または番組の場面に関連付けられた前記キーワードを呈示するタイミングを示すキーワード呈示情報を含み、
前記表示部は、前記キーワードと前記キーワード呈示情報により、前記キーワードを前記番組関連情報表示画面に表示することを特徴とする請求項１に記載の端末装置。
【請求項３】
放送受信装置と、端末装置と、を備えるネットワーク端末システムに用いられる端末装置であって、
入力部と、
放送波またはネットワークを介して送信される番組および前記番組に関する番組関連情報を受信する前記放送受信装置から直接または間接的に、前記番組関連情報を受信する通信Ｉ／Ｆと、
受信した前記番組関連情報に含まれるキーワード情報に含まれるキーワードを番組関連情報表示画面に表示し、前記キーワードが入力手段により選択された場合に、前記キーワードに関する情報を表示する表示部と、
を備えることを特徴とする端末装置。
【請求項４】
前記番組関連情報は、前記番組または前記番組の場面に関連付けられたキーワードを呈示するタイミングを示すキーワード呈示情報を含み、
前記表示部は、前記キーワードと前記キーワード呈示情報により、前記キーワードを前記番組関連情報表示画面に表示することを特徴とする請求項３に記載の端末装置。
【請求項５】
前記表示部は、表示している前記キーワードが選択された場合に、前記キーワードに関する情報を取得するデータベースを、前記入力部により選択するための選択画面を表示し、前記選択画面において前記キーワードに関する情報を取得する前記データベースが選択された場合に、前記キーワードを検索語として前記データベースを検索した検索結果を表示する、
ことを特徴とする請求項２または請求項４に記載の端末装置。
【請求項６】
前記番組関連情報は、第一のキーワード情報と第二のキーワード情報とを含み、
前記表示部は前記番組関連情報表示画面において、前記第一のキーワード情報と、前記第二のキーワード情報と、を区別可能な形態で表示し、前記第一のキーワードが選択された場合には前記選択画面として第一の選択画面を表示し、前記第二のキーワードが選択された場合には前記選択画面として前記第一の選択画面とは異なる第二の選択画面を表示する、
ことを特徴とする請求項５に記載の端末装置。
【請求項７】
前記第二のキーワード情報には、前記第二のキーワードの詳細情報へのリンク情報が含まれており、
前記表示部は、前記第二の選択画面において前記詳細情報への接続することを選択肢として表示し、当該選択肢が前記入力部により選択された場合には、前記リンク情報に基づいて前記詳細情報を表示し、前記第一の選択画面においては当該選択肢を表示しない、
ことを特徴とする請求項６に記載の端末装置。
【請求項８】
前記表示部は、前記第二の選択画面において前記キーワード呈示情報に基づき未だ呈示されていない前記第二のキーワード情報の前記詳細情報への接続が、前記入力手段により選択された場合には、前記第二のキーワード情報の呈示を予約登録するための予約画面を表示し、予約登録された前記第二のキーワード情報が呈示された場合に、予約登録された前記第二のキーワード情報が呈示された旨を表示することを特徴とする請求項７に記載の端末装置。
【請求項９】
前記番組関連情報は、コンテンツ関連情報を含み、
前記表示部は、前記コンテンツ関連情報に含まれるコンテンツに関する情報を前記番組関連情報表示画面に表示し、前記コンテンツが入力部により選択された場合に、前記コンテンツ関連情報に含まれるリンク情報に基づいて前記コンテンツの配信元へ接続することを選択肢として表示し、前記選択肢が前記入力部により選択された場合には、前記リンク情報に基づいて前記コンテンツの再生画面を表示することを特徴とする請求項１から請求項８のいずれかに記載の端末装置。
【請求項１０】
前記コンテンツ関連情報は、前記コンテンツの配信状況情報を含み、
前記表示部は、前記コンテンツが入力部により選択された場合に、前記配信状況情報が前記コンテンツが配信開始前であることを示す場合は、前記コンテンツを予約登録するための配信予約画面を表示し、予約登録された前記コンテンツが配信された場合には、前記コンテンツが配信された旨を表示することを特徴とする請求項１から請求項９のいずれかに記載の端末装置。
【請求項１１】
前記表示部は、前記コンテンツが配信された旨を表示する場合に、前記コンテンツの配信開始日時又は配信終了日時を表示することを特徴とする請求項１０に記載の端末装置。
【請求項１２】
放送受信装置と、端末装置と、関連情報配信装置と、を備えるネットワーク端末システムに用いられる端末装置を、
入力手段、
前記放送受信装置から送信された、前記放送受信装置において選択された番組を識別する第一の番組状態情報を受信する第一の接続手段、
前記第一の番組状態情報に基づき作成された第二の番組状態情報を前記関連情報配信装置に送信し、前記第二の番組状態情報を受信した関連情報配信装置により作成された、前記第二の番組状態情報により識別される番組に関する番組関連情報を受信する第二の接続手段、
受信した前記番組関連情報に含まれるキーワード情報に含まれるキーワードを番組関連情報表示画面に表示し、前記キーワードが入力手段により選択された場合に、前記キーワードに関する情報を表示する表示手段、
として機能させることを特徴とするネットワーク端末プログラム。
【請求項１３】
前記番組関連情報は、前記第二の番組状態情報により識別される番組または番組の場面に関連付けられた前記キーワードを呈示するタイミングを示すキーワード呈示情報を含み、
前記表示手段は、前記キーワードと前記キーワード呈示情報により、前記キーワードを前記番組関連情報表示画面に表示することを特徴とする請求項１２に記載のネットワーク端末プログラム。
【請求項１４】
放送受信装置と、端末装置と、関連情報配信装置と、を備えるネットワーク端末システムに用いられる端末装置を、
入力手段、
放送波またはネットワークを介して送信される番組および前記番組に関する番組関連情報を受信する前記放送受信装置から直接または間接的に、前記番組関連情報を受信する接続手段、
受信した前記番組関連情報に含まれるキーワード情報に含まれるキーワードを番組関連情報表示画面に表示し、前記キーワードが入力手段により選択された場合に、前記キーワードに関する情報を表示する表示手段、
として機能させることを特徴とするネットワーク端末プログラム。
【請求項１５】
前記番組関連情報は、前記番組または前記番組の場面に関連付けられたキーワードを呈示するタイミングを示すキーワード呈示情報を含み、
前記表示部は、前記キーワードと前記キーワード呈示情報により、前記キーワードを前記番組関連情報表示画面に表示することを特徴とする請求項１４に記載のネットワーク端末プログラム。
【請求項１６】
前記表示手段は、表示している前記キーワードが選択された場合に、前記キーワードに関する情報を取得するデータベースを、前記入力手段により選択するための選択画面を表示し、前記選択画面において前記キーワードに関する情報を取得する前記データベースが選択された場合に、前記キーワードを検索語として前記データベースを検索した検索結果を表示する、
ことを特徴とする請求項１３または請求項１５に記載のネットワーク端末プログラム。
【請求項１７】
前記番組関連情報は、第一のキーワード情報と第二のキーワード情報とを含み、
前記表示手段は前記番組関連情報表示画面において、前記第一のキーワード情報と、前記第二のキーワード情報と、を区別可能な形態で表示し、前記第一のキーワードが選択された場合には前記選択画面として第一の選択画面を表示し、前記第二のキーワードが選択された場合には前記選択画面として前記第一の選択画面とは異なる第二の選択画面を表示する、
ことを特徴とする請求項１６に記載のネットワーク端末プログラム。
【請求項１８】
前記第二のキーワード情報には、前記第二のキーワードの詳細情報へのリンク情報が含まれており、
前記表示手段は、前記第二の選択画面において前記詳細情報への接続することを選択肢として表示し、当該選択肢が前記入力手段により選択された場合には、前記リンク情報に基づいて前記詳細情報を表示し、前記第一の選択画面においては当該選択肢を表示しない、
ことを特徴とする請求項１７に記載のネットワーク端末プログラム。
【請求項１９】
前記表示手段は、前記第二の選択画面において前記キーワード呈示情報に基づき未だ呈示されていない前記第二のキーワード情報の前記詳細情報への接続が、前記入力手段により選択された場合には、前記第二のキーワード情報の呈示を予約登録するための予約画面を表示し、予約登録された前記第二のキーワード情報が呈示された場合に、予約登録された前記第二のキーワード情報が呈示された旨を表示することを特徴とする請求項１８に記載のネットワーク端末プログラム。
【請求項２０】
前記番組関連情報は、コンテンツ関連情報を含み、
前記表示手段は、前記コンテンツ関連情報に含まれるコンテンツに関する情報を前記番組関連情報表示画面に表示し、前記コンテンツが入力手段により選択された場合に、前記コンテンツ関連情報に含まれるリンク情報に基づいて前記コンテンツの配信元へ接続することを選択肢として表示し、前記選択肢が前記入力手段により選択された場合には、前記リンク情報に基づいて前記コンテンツの再生画面を表示することを特徴とする請求項１２から請求項１９のいずれかに記載のネットワーク端末プログラム。
【請求項２１】
前記コンテンツ関連情報は、前記コンテンツの配信状況情報を含み、
前記表示手段は、前記コンテンツが入力手段により選択された場合に、前記配信状況情報が前記コンテンツが配信開始前であることを示す場合は、前記コンテンツを予約登録するための配信予約画面を表示し、予約登録された前記コンテンツが配信された場合には、前記コンテンツが配信された旨を表示することを特徴とする請求項１２から請求項２０のいずれかに記載のネットワーク端末プログラム。
【請求項２２】
前記表示手段は、前記コンテンツが配信された旨を表示する場合に、前記コンテンツの配信開始日時又は配信終了日時を表示することを特徴とする請求項２１に記載のネットワーク端末プログラム。
【発明の詳細な説明】
【技術分野】
【０００１】
本発明は、端末装置及びネットワーク端末システムプログラムに関する。
【背景技術】
【０００２】
テレビ放送視聴中において視聴者は、番組で紹介された店舗の情報や料理レシピなどに関する情報を、さらに詳しく調べたいという要求がある。また、放送中の番組の前回の放送番組など見逃した番組などの関連コンテンツの配信先や配信予定日などの情報も知りたいという要求がある。一方、近年ＰＣのみならずインターネット機能を内蔵したテレビ受信機や携帯端末などが実用化されており、手軽に番組関連情報をブラウザで検索できたり、見逃した番組をコンテンツ配信サービスから視聴できるようになってきている。
【０００３】
本技術分野の背景技術として、特許文献１には、「テレビ画面映像から、インターネット上の画像データベース情報を検索し、放送と連動した関連情報を簡易な操作で提供する。」と記載されている。
【先行技術文献】
【特許文献】
【０００４】
【特許文献１】特開２００６−２７０８６９号公報
【発明の概要】
【発明が解決しようとする課題】
【０００５】
ＰＣではＰＣ自体の起動に時間がかかり、テレビ受信機などの場合は、ブラウザ画面を立ち上げるのに時間がかかることや、入力インターフェースが主にリモコンであるため、調べたいキーワードを入力するのが困難であった。また、インターネット機能内蔵テレビでは、インターネット機能はテレビ放送の視聴機能とは別の機能であるため、視聴画面を中断して検索画面を表示する必要があり、テレビ放送を視聴しながら関連情報を調べたり、見逃し番組の配信コンテンツを探したりすることが難しいという問題があった。
特許文献１に記載の発明の場合、インターネット上の情報源の中から番組放送の内容や番組自身に関する情報を入手するために、番組に表示される特徴マーク、番組マーク、テクスチャーなどをカメラで撮影し、その色や形態からデータを取得する発明が開示されているが、これらのマーク等を常に画面上に表示していなければ情報を取得できないという問題や、カメラの画質や形態の認識処理によっては正しい情報が得られないことがあるという問題があった。
【課題を解決するための手段】
【０００６】
上記課題を解決するために、例えば特許請求の範囲に記載の構成を採用する。
【発明の効果】
【０００７】
本発明によれば、視聴者が放送を視聴している時に、番組内の情報や番組に関連する関連情報を正確に提供できるネットワーク端末システムを提供することができ、視聴者に対する使い勝手の向上に寄与できるという効果がある。
【図面の簡単な説明】
【０００８】
【図１（ａ）】第一の実施形態に係るネットワーク端末システムの一例である。
【図１（ｂ）】テレビ受信機１の構成図の一例である。
【図１（ｃ）】無線端末の構成図の一例である。
【図１（ｄ）】番組関連配信サーバーの構成図の一例である。
【図２（ａ）】テレビ受信機のストレージ及びメモリの内部構成の例である。
【図２（ｂ）】無線端末のストレージ及びメモリの内部構成の例である。
【図２（ｃ）】番組関連情報配信サーバーのストレージ及びメモリの内部構成の例である。
【図３（ａ）】テレビ受信機から無線端末に送信される番組状態情報のデータ形式の一例を示す図である。
【図３（ｂ）】無線端末から番組関連情報配信サーバーに送信される番組関連情報要求に付随して送信される番組状態情報のデータ形式の一例を示す図である。
【図３（ｃ）】番組関連情報配信サーバーから無線端末に送信される番組関連情報のデータ形式の一例を示す図である。
【図４】番組関連詳細情報の表示を行うための動作フロー／シーケンスの一例を示す図である。
【図５】番組関連詳細情報の表示を行うための動作フロー／シーケンスの変形例の一例を示す図である。
【図６】番組関連詳細情報の表示を行うための動作フロー／シーケンスの変形例の一例を示す図である。
【図７】無線端末のメニュー画面の表示例を示す。
【図８】番組関連情報画面の表示例を示す。
【図９】無線端末における検索画面のポップアップ表示画面の一例を示す図である。
【図１０】無線端末における検索画面のポップアップ表示画面の変形例を示す図である。
【図１１】Ｗｅｂコンテンツ画面の表示例を示す。
【図１２】第二の実施形態に係る番組関連詳細情報の表示を行うための動作フロー／シーケンスの一例を示す図である。
【図１３】無線端末における検索画面のポップアップ表示画面の変形例を示す図である。
【図１４】第三の実施形態に係る番組関連詳細情報の表示を行うための動作フロー／シーケンスの一例を示す図である。
【図１５】番組関連情報画面の表示例を示す。
【図１６】コンテンツ詳細表示画面の表示例を示す。
【図１７】番組関連情報画面の表示例を示す。
【図１８】第四の実施形態に係る無線端末のストレージ及びメモリの内部構成の例である。
【図１９】番組関連詳細情報の表示を行うための動作フロー／シーケンスの一例を示す図である。
【図２０】無線端末に表示されるＥＰＧ画面の表示例を示す図である。
【図２１】番組詳細内容画面の表示例を示す図である。
【図２２】番組関連情報画面の表示例を示す。
【図２３】番組関連情報内容の表示方法の変形例を示す図である。
【発明を実施するための形態】
【０００９】
以下、本発明の実施形態について、図面を参照しながら説明する。
【実施例１】
【００１０】
以下においては、番組配列情報（イベント情報）を含むデジタル放送波を受信し、受信した番組配列情報に基づいてデジタル放送の電子番組表（ＥＰＧ）を表示するデジタル放送受信機能付きテレビ受信機および無線装置を含む通信端末システムを例にして説明を行なう。
【００１１】
日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ：Elementary Stream）に対して、イベント情報としての番組配列情報をヘッダとして付加したＴＳパケットで構成されている。
【００１２】
番組配列情報のデータ構造は、ＡＲＩＢ標準規格であるARIB STD-B１０「デジタル放送に使用する番組配列情報標準規格」に従ったものである。番組配列情報は、ＭＰＥＧ（Moving Picture Expert Group）−２システム規格で規定された伝送制御情報であるＰＳＩ（Program Specific Information：番組特定情報）と、ＥＰＧなどを構築するためのＳＩ（Service Information：サービス情報）とで構成される。
【００１３】
ＳＩは、ＢＩＴ（Broadcaster Information Table：放送局情報テーブル）、ＳＤＴ（Service Description Table：サービス記述テーブル）、ＥＩＴ（Event Information Table：イベント情報テーブル）およびＴＯＴ（Time Offset Table：時刻オフセットテーブル）の４つのテーブルで構成されている。
【００１４】
ＢＩＴは、ネットワーク内の放送局に関する情報を記載したものである。ＳＤＴは、ＴＳ情報部とサービス情報部に分かれており、ＴＳ情報部は、ネットワークを識別するためのネットワークＩＤと、ＴＳを識別するためのＴＳ ＩＤ（Identifier）とを含んでいる。
【００１５】
ネットワークＩＤは、ＢＳネットワーク、ＣＳ１ネットワークおよびＣＳ２ネットワークには、それぞれ異なるネットワークＩＤが割り当てられている。また、地上デジタル放送の場合は、同じ地域では放送局ごとに異なる値のネットワークＩＤが割り当てられている。
【００１６】
サービス情報部は、ネットワーク内で個々のサービス（チャンネル）を識別するための識別子であるサービスＩＤ（いわゆるチャンネル番号）を含んでいる。
【００１７】
ＥＩＴは、イベント(いわゆる番組)ごとの番組情報を記述したものであり、サービス情報部とイベント情報部に分かれている。サービス情報部は、ネットワーク内で個々のサービスを識別するための識別子であるサービスＩＤを含んでいる。
【００１８】
イベント情報部は、イベントＩＤ、イベント開始時刻、イベント継続時間、イベントの名称(いわゆる番組タイトル)、イベントのジャンルなどを含んでいる。ＴＯＴは、現在時刻を記述したものである。
【００１９】
なお、以上は日本国で運用されているデジタル放送について説明したが、各国で運用されているデジタル放送においても、上記の番組配列情報と同様の番組情報を伝送している。よって、以下に説明する本発明は、各国のデジタル放送について適用することが可能である。
【００２０】
以下、本発明に係る第一の実施形態を説明する。
【００２１】
［システム構成］
図１（ａ）は、第一の実施形態に係るネットワーク端末システムの一実施例を示すブロック構成図である。
【００２２】
本実施例のネットワーク端末システムは、例えば、テレビ受信機１、テレビ受信機２、無線端末３、無線ルーター５、外部ネットワーク６、番組関連情報配信サーバー７から構成される。図示の例は、情報通信端末としての携帯電話機等の移動体通信端末である無線端末３の利用者が、その無線端末３を持って家庭や店舗等で、テレビ受信機１でテレビ番組を視聴しているときの例である。
【００２３】
無線ルーター５は、Ｗｉ−Ｆｉなどの無線ＬＡＮ機能を備え、通信回線を経由して外部ネットワーク６に接続できる。また、無線ルーター５は、テレビ受信機１、テレビ受信機２、無線端末３、外部ネットワーク６と接続されており、テレビ受信機１、テレビ受信機２または無線端末３は、インターネット網から情報を入手することができる。
また、無線ルーター５は、テレビ受信機１またはテレビ受信機２とは、有線ＬＡＮまたは無線ＬＡＮで接続されており、無線端末３とは無線ＬＡＮで接続されているものとする。ここで、Ｗｉ−Ｆｉは、ＩＥＥＥ(米国電気電子学会)の規格「IEEE ８０２.１１a/IEEE ８０２.１１b」で策定された無線ＬＡＮ（Local Area Network）の標準規格である。
【００２４】
番組関連情報配信サーバー７は、外部ネットワーク６と接続され、無線端末３は無線ルーター５を経由して外部ネットワーク６に接続された番組関連情報配信サーバー７と情報の送受信を行うことができる。また、無線端末３は、移動体通信網を利用して基地局９を通して通信ネットワークに接続し、通信ネットワークに接続された外部ネットワークを介しても情報の送受信を行うこともできる。また、本実施例では、番組関連情報配信サーバー７は、外部ネットワーク上に接続する例として説明するが、通信ネットワーク上に接続されていても良い。
【００２５】
［テレビ受信機のハードウェア構成］
図１（ｂ）は、テレビ受信機１の構成図の一例である。
【００２６】
テレビ受信機１は、アンテナ１１に接続され、チューナ・復調部１２、選局制御部１３、信号分離部１４、音声復号部１５、スピーカ１６、音声出力部１７、映像復号部１８、重畳部１９、表示部２０、映像出力部２１、通信Ｉ／Ｆ２２、入力手段２３、制御部２４、メモリ２５、ストレージ２６などを含む。それぞれの処理部がバス２８を介して接続される。
【００２７】
また、テレビ受信機１は、アプリケーションプログラムをストレージ２６に格納可能としており、制御部２４がストレージ２６から上記プログラムをメモリ２５に展開し、制御部２４が上記プログラムを実行することでさまざまな機能を実現することができる。
【００２８】
以後の説明では説明を簡単にするため、制御部２４が各アプリケーションプログラムを実行して実現する各種機能を、各種プログラム機能部が主体となって実現することとして説明する。
【００２９】
なお、アプリケーションプログラムは、テレビ受信機１が出荷されるまでに予めストレージ２６に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介してテレビ受信機１にインストールされても良い。
また、通信Ｉ／Ｆ２２及び無線ルーター５を介して外部ネットワーク６からダウンロードしてインストールすることも可能である。
【００３０】
また、アプリケーションプログラムの各種機能は同様の機能を持つ処理部として、ハードウェアで実現することも可能である。ハードウェアとして実現する場合は、各処理部が主体となって各機能を実現する。
【００３１】
入力手段２３は、ユーザーからのテレビ受信機１に対する操作を受け付け、入力操作に関する制御情報を入力する入力手段であり、例えば、リモコン、キーボード、マウス等のポインティングデバイス等により実現される。
【００３２】
制御部２４は、ユーザーの操作要求を入力手段２３を経由して受け取り、信号分離部１４、選局制御部１３、メモリ２５（各種プログラム機能部）、ストレージ２６、重畳部１９、通信Ｉ／Ｆ２２、各処理部を制御する。
【００３３】
ストレージ２６は、制御部２４の指示により制御され、アプリケーションプログラムを保存することができる。また、アプリケーションプログラムで作成した各種情報を保存する。また、チューナ・復調部１２や通信Ｉ／Ｆ２２から受信した信号から映像音声ストリーム等のコンテンツを保存することもできる。
【００３４】
メモリ２５は、制御部２４の指示により制御される。メモリ２５に、ストレージ２６に格納しているアプリケーションプログラムの機能部が展開される。
【００３５】
チューナ・復調部１２は、選局制御部１３により、所望のサービスのチャンネルに同調することで、放送局８より放送信号を受信し、受信した放送信号を復調してトランスポートストリームを取得する。なお、図１（ｂ）の例では、説明を簡単にするため、チューナ・復調部１２が一つの構成を例示している。しかしながら、視聴と録画を並行して行う機能や伝送周波数の異なる複数のチャンネルのコンテンツを同時に視聴する機能を搭載する場合は、複数のチューナ・復調部１２を搭載すればよい。したがって、以下の説明におけるチューナ・復調部１２は、すべて同一である必要はない。それぞれの処理に応じて異なるチューナ・復調部であってもよい。
【００３６】
選局制御部１３は、入力手段２３を経由してサービスを選局する指示を受け、指示に応じて選局するチャンネルを切り替えるようにチューナ・復調部１２を制御する。また、選局制御部１３は、各種プログラム機能部からの指示を受けとることができ、現在放送中のイベント（番組）を放送しているサービスおよびそのサービスが属する放送提示単位に切り替えるようにチューナ・復調部１２を制御する。
【００３７】
通信Ｉ／Ｆ２２は、有線ＬＡＮまたは無線ＬＡＮにより、無線ルーター５に接続される。また、通信Ｉ／Ｆ２２は無線ルーター５との通信機能に加えてまたはこれに替えて、Ｗｉ‐Ｆｉ（登録商標）などの無線ＬＡＮ、ＩｒＤＡ(登録商標)、Ｂｌｕｅｔｏｏｔｈ(登録商標)、ＮＦＣ（Near Field Communication）などの方法で外部の機器と無線ルーター１０を介さずに直接通信するように構成してもよい。通信Ｉ／Ｆ２２は、異なる通信方式を行うチップをそれぞれ実装しても良い。また、複数の通信方式を扱う１つのチップとして実装されていても良い。以下、通信Ｉ／Ｆ２２は無線ルーター５を介してテレビ受信機２や無線端末３と各種情報を送受信する例を説明するが、上述のとおり無線ルーター５を介さずに各種情報を直接送受信してもよい。また、通信Ｉ／Ｆ２２は、無線ルーター５を介して外部ネットワークと接続された装置とも各種情報を送受信可能である。例えば、外部ネットワークと接続されたサーバーからＩＰ放送や、ビデオオンデマンド、など形態でコンテンツストリーム（映像音声ストリーム）を受信することも可能である。また、ＩＰデータキャスト（ＩＰＤＣ）等のデータ形態で番組関連情報を受信することも可能である。また、外部ネットワークと接続されたサーバーから映像ストリームやアプリケーションプログラムをダウンロードすることも可能である。ダウンロードした情報は、例えば、ストレージ２６に格納される。
【００３８】
信号分離部１４は、チューナ・復調部１２で得たトランスポートストリームや、通信Ｉ／Ｆ２２を介して得たコンテンツのストリームについて、映像データ、音声データ、字幕文データ、番組情報、番組関連情報等、種類ごとに分離する。また番組情報（例えば、番組配列情報ＳＩ）や番組関連情報（ＩＰデータキャスト（ＩＰＤＣ）等のデータ形態）を取得し、他の処理ブロックに送信する機能を有する。また、他の処理部からデータ送信要求があった場合には、指定されたデータを、要求元へデータを送信する。
【００３９】
ここで、ＩＰデータキャスト（ＩＰＤＣ）とは、ＩＰ（インターネットプロトコル）を通信、放送の区別なく、あらゆるデジタルインフラでのコンテンツデリバリープロトコルとして利用すること、また、そのプロトコルを利用したサービスのことをいう。
【００４０】
音声復号部１５は、信号分離部１４で分離した音声データを復号する。音声復号部１５で復号された音声情報は、スピーカ１６から出力される。音声復号部１５で復号された音声情報は、音声出力部１７から外部機器へ出力してもよい。
【００４１】
映像復号部１８は、信号分離部１４で分離した映像データを復号する。映像復号部１８で復号された映像情報は、重畳部１９に送られる。
【００４２】
重畳部１９は、映像復号部１８から送られる復号映像情報に各種プログラム機能部で作成されたＥＰＧ画像、ＯＳＤ画像や、信号分離部３から分離された各種情報（字幕情報、字幕スーパー、データ放送データ等）から生成された画像等を重畳する。
重畳部１９を経た映像情報は表示部２０で表示する。表示部２０は、例えばテレビやパソコンのディスプレイあるいは液晶パネル等によって構成される。また、重畳部１９を経た映像情報は、映像出力部２１から外部機器へ出力してもよい。
また、信号分離部１４で所定の番組についてのトランスポートストリームを分離し、映像や音声を復号せずに出力するデジタルＩ／Ｆ２７を設けてもよい。
【００４３】
テレビ受信機２の各部の構成は、テレビ受信機１と同様のため、ここでは説明を省略する。また、本実施例では１はテレビ受信機として説明をするが、ＳＴＢやレコーダーなどで代替することも可能であり、この場合は図１（ｂ）のテレビ受信機の構成からスピーカ１６や表示部２０を省略することも可能である。
【００４４】
［無線端末のハードウェア構成］
図１（ｃ）は無線端末３の構成図の一例である。
【００４５】
無線端末３は、例えば、チューナ・復調部３１、信号分離部３２、メモリ３３、ストレージ３４、加速度センサ部３５、地磁気センサ部３６、制御部３７、表示部３８、通信Ｉ／Ｆ３９、移動体通信Ｉ／Ｆ４０、入力手段４１、ＧＰＳ受信部４２、ジャイロセンサ部４３から構成され、それぞれの処理部がバス４４を介して接続される。
【００４６】
また、無線端末３は、アプリケーションプログラムをストレージ３４に格納しており、制御部３７がストレージ３４から上記プログラムをメモリ３３に展開し、制御部３７が上記プログラムを実行することで各種機能を実現することができる。以後の説明では説明を簡単にするため、制御部３７が各アプリケーションプログラムを実行して実現する各種機能を、各種プログラム機能部が主体となって実現することとして説明する。
なお、アプリケーションプログラムは、無線端末３が出荷されるまでに予めストレージ３４に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して無線端末３にインストールされても良い。また、通信Ｉ／Ｆ３９及び無線ルーター５を介して外部ネットワーク６からダウンロードしてインストールしてもよい。若しくは移動体通信Ｉ／Ｆ４０を介して基地局９を介して配信元からダウンロードしてインストールしてもよい。さらに、ネットワークを介してアプリケーションプログラムを取得したパーソナルコンピュータ（ＰＣ）に図示しない外部機器接続Ｉ／Ｆを介して接続し、ＰＣから無線端末３にムーブまたはコピーしてインストールすることも可能である。
また、アプリケーションプログラムは、同様の機能を持つ処理部として、ハードウェアで実現することも可能である。ハードウェアとして実現する場合は、各処理部が主体となって各機能を実現する。
【００４７】
通信Ｉ／Ｆ３９は、無線ＬＡＮなどにより、無線ルーター５に接続される。無線ルーター５との通信機能に加えてまたはこれに替えて、Ｗｉ‐Ｆｉ（登録商標）などの無線ＬＡＮや、ＩｒＤＡ（登録商標）、Ｂｌｕｅｔｏｏｔｈ（登録商標）、ＮＦＣ（Near Field Communication）などの方法で、無線ルーター５を介さずにテレビ受信機１またはテレビ受信機２などの他の機器と直接通信することが可能である。通信Ｉ／Ｆ３９は、テレビ受信機１の通信Ｉ／Ｆ２２と各種情報の送受信を行う。また、通信Ｉ／Ｆ３９は、無線ルーター５を介して外部ネットワークと接続され、外部ネットワーク上のコンテンツ配信サーバー７等のＷｅｂサーバーと情報の送受信を行う。通信Ｉ／Ｆは、異なる通信方式を行うチップをそれぞれ実装しても良い。また、複数の通信方式を扱う１つのチップとして実装されていても良い。移動体通信Ｉ／Ｆ４０は、ＧＳＭ（Global System for Mobile Communications）（登録商標）方式、Ｗ−ＣＤＭＡ(Wideband Code Division Multiple Access)方式やＣＤＭＡ２０００方式、ＵＭＴＳ（Universal Mobile Telecommunications System）方式などの第３世代移動通信システム（以下「３Ｇ」と表記する）、またはＬＴＥ（Long Term Evolution）方式などの移動体通信網を利用して基地局９を通して通信ネットワークに接続され、通信ネットワーク上のサーバーと情報の送受信を行うことができる。
【００４８】
制御部３７は、ユーザーの操作要求を入力手段４１を経由して受け取り、信号分離部３２、表示部３８、メモリ３３（各種プログラム機能部）、ストレージ３４、通信Ｉ／Ｆ３９、移動体通信Ｉ／Ｆ４０、各処理部を制御する。さらに、制御部３７は、通信Ｉ／Ｆ３９及び無線ルーター５を経由して外部ネットワーク６、または、移動体通信Ｉ／Ｆ４０及び基地局９を経由して外部ネットワーク６からも番組情報（例えば、番組配列情報ＳＩ）や番組関連情報（ＩＰデータキャスト（ＩＰＤＣ）等のデータ形態）を取得でき、各種プログラム機能部に渡す機能も有する。
【００４９】
本実施例では、通信Ｉ／Ｆ３９や移動体通信Ｉ／Ｆ４０を介して外部ネットワークや配信元から番組情報や番組関連情報を取得する場合の例について説明するが、信号分離部３２でデジタル放送の番組情報や番組関連情報を抽出し取得することも可能である。
【００５０】
ストレージ３４は、制御部３７の指示により制御され、アプリケーションプログラムを保存することができる。また、アプリケーションプログラムで作成した各種情報を保存する。また、チューナ・復調部３１、通信Ｉ／Ｆ３９、または移動体通信Ｉ／Ｆ４０から受信した信号から映像音声ストリーム等のコンテンツを保存してもよい。
【００５１】
メモリ３３は、制御部３７の指示により制御される。制御部３７によってメモリ３３に、ストレージ３４に格納しているアプリケーションプログラムの機能部が展開される。
【００５２】
表示部３８は、ストレージ３４に格納された画像や映像、放送・配信された映像、各種操作をするためのＵＩや後述するブラウザエンジン３１０１で作成されたブラウザ表示画面等を表示する。表示する画像、映像はアプリケーションプログラムで生成された画像でもよく、チューナ・復調部３１を介して受信したコンテンツの画像、映像でもよく、通信Ｉ／Ｆ３９を介して外部ネットワーク上のサーバーから受信した画像、映像でもよく、通信Ｉ／Ｆ３９を介してテレビ受信機１から受信した画像、映像でもよく、移動体通信Ｉ／Ｆ４０を介して通信ネットワーク上のサーバーから配信された画像、映像でもよい。また、表示部３８は、例えば下記のタッチパネル等と一体として構成されてもよい。
【００５３】
入力手段４１は、ユーザーからの無線端末３に対する操作を受け付け、入力操作に関する制御情報を入力する入力手段であり、例えば、物理的なボタンやタッチパネルなどを用いることができる。以下、本実施例では、タッチパネルを使用した例について説明するが各種操作は物理的なボタンを用いる構成でもよい。
タッチパネルを使用することにより、タッチパネル上の任意オブジェクト（アイコン）等を指でタッチした状態で移動する操作（ドラッグ操作）または画面上で指をはじくようにして動かす操作（フリック操作）を行うことによりオブジェクト等を自由に移動したりすることができる。また、オブジェクト等を指で１回叩く操作（タップ操作）または２回叩く操作（ダブルタップ操作）を行うと、オブジェクト（アイコン）等を活性化したり別の画面に切り替えたりすることができる。また、Ｗｅｂコンテンツ上を直接タッチすることにより、任意の位置を指でタッチした状態で移動する操作（ドラッグ操作）を行うことによりＷｅｂコンテンツの画面を自由に移動することができる。また、リンク先情報のＵＲＬ（Uniform Resource Locator）が指定されたテキストや画像等のアンカータグなどを指で１回叩く操作（タップ操作）を行うと、ブラウザ上で所望のＷｅｂコンテンツを閲覧することができる。本実施例では、上述のタッチパネルの各操作をドラッグ操作、フリック操作、タップ操作と称して説明する。
【００５４】
チューナ・復調部３１、信号分離部３２は、それぞれテレビ受信機１のチューナ・復調部１２、信号分離部１４、と同等の働きを持つ。これらの機能は既に説明したので説明を省略する。
【００５５】
加速度センサ部３５は、無線端末３にかかる加速度を測定する。制御部３７は、例えば加速度センサ部３５により重力加速度を測定することによって、無線端末３のどの部分が上方であるのかを知ることができ、表示部３８に表示させる画面の上方を加速度センサ部３５が測定した上方と合わせるように表示させることによって、ユーザーによる無線端末３の持ち方に合わせた画面を表示させることができる。
【００５６】
地磁気センサ部３６は、複数の磁気センサを利用するなどして地磁気を測定する。
【００５７】
ＧＰＳ受信部４２は、ＧＰＳ（Ｇｒｏｂａｌ  Ｐｏｓｉｔｉｏｎｉｎｇ  Ｓｙｓｔｅｍ）を利用して複数の衛星から送信される信号を受信する。制御部３７は、ＧＰＳ受信部４２が受信した信号を基に、無線端末３の位置情報を計算することができる。制御部３７は、例えば通信Ｉ／Ｆや移動体通信Ｉ／Ｆを介してネットワークから番組配列情報ＳＩを取得する場合に、無線端末３の位置情報を番組配列情報ＳＩの送信元に送信し、番組配列情報ＳＩの送信元は無線端末３がある地域に応じた番組配列情報ＳＩを無線端末３に送信することができる。
【００５８】
ジャイロセンサ部４３は、無線端末３をユーザーが動かした場合などに発生する無線端末３の角速度を測定する。
【００５９】
［サーバーのハードウェア構成］
図１（ｄ）は番組関連配信サーバー９９の構成図の一例である。
【００６０】
番組関連配信サーバー７は、例えば、通信Ｉ／Ｆ５０、制御部５１、メモリ５２、ストレージ５３から構成され、それぞれの処理部がバス５７を介して接続される。
【００６１】
また、番組関連配信サーバー７は、アプリケーションプログラムをストレージ５３に格納しており、制御部５１がストレージ５３から上記プログラムをメモリ５２に展開し、制御部５１が上記プログラムを実行することで各種機能を実現することができる。以後の説明では説明を簡単にするため、制御部５１が各アプリケーションプログラムを実行して実現する各種機能を、各種プログラム機能部が主体となって実現することとして説明する。
【００６２】
通信Ｉ／Ｆ５０は、外部ネットワーク６に接続され、外部ネットワーク６を介して無線ルーター５に接続される。通信Ｉ／Ｆ５０は、無線端末３の通信Ｉ／Ｆ３９またはテレビ受信機１の通信Ｉ／Ｆ２２と各種情報の送受信を行う。
【００６３】
制御部５１は、通信Ｉ／Ｆ５０、メモリ５２、ストレージ５３、各種プログラム機能部を制御する。さらに、制御部５１は、ストレージ５３の番組関連情報データベース５４、広告情報データベース５５およびコンテンツデータベース５６に蓄積されたテレビ放送番組、広告、コンテンツなどに関連する情報を通信Ｉ／Ｆ５０、外部ネットワーク６を介して無線端末３に渡す機能も有する。
【００６４】
ストレージ５３は、制御部５１の指示により制御され、アプリケーションプログラムを保存することができる。また、アプリケーションプログラムで作成した各種情報を保存する。また、テレビ放送番組関連情報など放送番組に関連付けられたキーワードやコンテンツ所在情報、付加情報などの情報を蓄積する機能も持つ。
【００６５】
メモリ５２は、制御部５１の指示により制御される。制御部５１によってメモリ５２に、ストレージ５３に格納しているアプリケーションプログラムの機能部が展開される。
【００６６】
コンテンツ５７は、前回放送分などの見逃し番組や関連映像コンテンツなどが格納されており、コンテンツデータベース５６からのリンク情報によりコンテンツを配信することができる。なお、コンテンツは別の配信サーバーに格納されていても良い。また、番組関連配信サーバー７は、放送局内に配置してＩＰデータキャスト（ＩＰＤＣ）等のデータ形態でキーワード、リンク情報、コンテンツ情報などの番組関連情報を放送波として放送局８から送信することもできる。
【００６７】
［テレビ受信機のソフトウェア構成］
図２（ａ）は、図１（ｂ）における、テレビ受信機１またはテレビ受信機２の構成のうちメモリ２５とストレージ２６の構成を示す図である。また図２（ａ）は、ストレージ２６にブラウザプログラム２００１、接続機器認証プログラム２００６、番組関連情報表示処理プログラム２００７、コンテンツ再生プログラム２００８および録画番組一覧作成プログラム２００９を格納している。これらのプログラムは制御部２４により、メモリ２５にブラウザエンジン２１０１、接続機器認証部２１０６、番組関連情報表示処理部２１０７、コンテンツ再生部２１０８および録画番組一覧作成部２１０９として展開した状態を示している。ブラウザプログラム２００１、接続機器認証プログラム２００６、番組関連情報表示処理プログラム２００７、コンテンツ再生プログラム２００８および録画番組一覧作成プログラム２００９は、製品の出荷時点でストレージ２６に格納しておいてもよく、通信Ｉ／Ｆ２２を介してダウンロードしてもよい。制御部２４はこれらのプログラムを実行して各種機能を実現するが、以下の説明では、メモリ２５内のプログラム機能部が主体となって実現するものとして説明する。
【００６８】
ブラウザエンジン２１０１は、ＨＴＭＬパーサー２１０２、データベース生成部２１０３、レンダリング部２１０４および画像処理部２１０５の各機能ブロックから構成される。
【００６９】
ＨＴＭＬパーサー２１０２は、制御部２４を介して取得したＨＴＭＬデータの論理的な構造を解析する。また、取得したＨＴＭＬデータを解釈し、テレビ受信機１で使用する内部データへ変換することができる。
データベース生成部２１０３は、そのＨＴＭＬデータ構造に関するデータベースを生成する。
レンダリング部２１０４は、データベースを基に各タグで決められた表現形式の情報を含むレイアウト構造を生成し、このレイアウト構造を基に、大きさ、位置、画像を取り込んだデータの通りにブラウザ表示画面を生成する。
画像処理部２１０５は、ＨＴＭＬデータに画像タグで指定された画像ファイルの配置及び画像ファイル名などの画像ファイル情報に基づいて、取得した画像ファイルをビットマップ形式等の画像データに変換する。
制御部２４は、入力手段２３により番組関連情報表示画面に表示されたキーワード、はリンク情報またはコンテンツ情報が選択されると、ブラウザエンジン２１０１を起動し、検索エンジンコンテンツまたはリンク情報によりリンクされたホームページにアクセスを行う。
次に、ブラウザエンジン２１０１は、ＨＴＴＰに準拠したＷｅｂコンテンツ等のリソースを要求するリクエストメッセージを制御部２４、通信Ｉ／Ｆ２２、無線ルーター５を経由して、外部ネットワーク６からネットワーク上のＵＲＬにより特定されるサーバーに送信する。
ＵＲＬにより特定されるサーバーは、受け取ったリクエストメッセージに応じたレスポンスメッセージを作成して返信する。返信されたレスポンスメッセージは、外部ネットワーク６を経由してブラウザエンジン２１０１に入力される。レスポンスメッセージにはＨＴＭＬ文書が埋め込まれており、ブラウザエンジン２１０１のＨＴＭＬパーサー２１０２、データベース生成部２１０３、レンダリング部２１０４、画像処理部２１０５によりブラウザ表示画面を生成し、表示部２０に表示する。
【００７０】
次に接続機器認証部２１０６について説明する。
テレビ受信機１は、ユーザーによる入力手段２３を用いた入力によって設定された、若しくはテレビ受信機１の工場出荷前などに予め設定されたユーザーＩＤおよびパスワードなどの認証情報が、ストレージ２６の各種データに記憶されており、接続機器認証部２１０６はこれを参照する。また、上記の認証情報はユーザーによる操作によって表示部２０に表示させたり、テレビ受信機１の購入時に添付された書類等によってユーザーが確認できるものとする。また、無線端末３のユーザー名とＭＡＣアドレスを、接続機器の認証情報として、テレビ受信機１のストレージ２６や図示しない不揮発性メモリなどに格納してもよい。
【００７１】
接続機器認証部２１０６は、各種データに記憶された認証情報と、無線端末３の接続機器認証部３１０６から送信された認証情報とを比較し、機器認証情報が一致する場合は、無線端末３の接続機器認証部３１０６に対して接続を許可する。一方、認証情報が誤っている場合には、無線端末３の接続機器認証部３１０６からの接続を認証しない。
【００７２】
上記は認証方法の一例であり、例えば無線ＬＡＮでテレビ受信装置１と、無線端末３または無線端末４を接続する場合にＳＳＩＤ（Service Set Identifier）とＷＥＰキーまたはＷＰＳキーを用いた認証・暗号化方法を用いることができる。認証の方法や認証成功時に送受信する情報の暗号化の方法などは公知の技術を用いればよく、本実施例では特に限定をしない。
また、無線端末の操作により、テレビ受信機側でコンテンツ配信サーバー７からコンテンツの配信を受け視聴する場合は、接続機器認証部２１０６は、各種データに記憶された認証情報を、通信Ｉ／Ｆ２２、無線ルーター５を経由して番組関連情報配信サーバー７のユーザー管理部４１０１に対して送信する機能を持つ。
【００７３】
番組関連情報表示処理部２１０７は、放送波または通信Ｉ／Ｆ２２を通して放送局８または番組関連情報配信サーバー７から送信されるキーワード、リンク情報などの番組関連情報または後述するキーワード呈示情報を取得し、取得した番組関連情報を通信Ｉ／Ｆ２２および無線端末３の通信Ｉ／Ｆ３９を経由して、無線端末３に番組関連情報を送信することができる。また、テレビ受信機１が単独で動作している場合には、表示部２０に番組関連情報のキーワード、リンク情報またはコンテンツ情報の一部または全部を表示し、ブラウザエンジン２１０１で検索、リンク等を行うことができる。さらに、番組または番組の場面に関連付けられたキーワード呈示情報により、呈示タイミングを制御することもできる。
【００７４】
コンテンツ再生部２１０８は、番組予約等によりストレージ２６のコンテンツ２２０１に保存された録画番組を録画番組一覧作成部２１０９により作成された録画番組一覧により再生する機能を有する。また、外部ネットワーク６を介して、コンテンツ配信サーバー７から配信されるコンテンツ（例えば映画やドラマなど）のデータやコンテンツ情報を受信し、逐次受信した映像や音声等を再生することでユーザーに提示することもできる。本実施例では、録画番組の再生の場合について説明する。
【００７５】
録画番組一覧作成部２１０９は、番組予約等で録画された録画番組が格納されているコンテンツ２２０１から録画番組一覧を作成し、録画番組一覧データをストレージ２６の各種データに格納する。
【００７６】
［無線端末のソフトウェア構成］
図２（ｂ）は、図１（ｃ）における、無線端末３の構成のうちメモリ３３とストレージ３４の構成を示す図である。また図２（ｂ）は、ストレージ３４にブラウザプログラム３００１、接続機器認証プログラム３００６、番組関連情報表示処理プログラム３００７およびコンテンツ再生プログラム３００８を格納している。これらのプログラムは、制御部３７により、メモリ３３にブラウザエンジン３１０１、接続機器認証部３１０６、番組関連情報表示処理部３１０７およびコンテンツ再生部３１０８として展開し、制御部３７が上記プログラムを実行することで各種機能を実現することができる。ブラウザプログラム３００１、接続機器認証プログラム３００６、番組関連情報表示処理プログラム３００７およびコンテンツ再生プログラム３００８は、製品の出荷時点でストレージ３４に格納しておいてもよく、通信Ｉ／Ｆ３９または移動体通信Ｉ／Ｆ４０を介してダウンロードしてもよい。
【００７７】
以後の説明では説明を簡単にするため、制御部３７が各アプリケーションプログラムを実行して実現する各種機能を、各種プログラム機能部が主体となって実現することとして説明する。
【００７８】
ブラウザエンジン３１０１は、テレビ受信機１のブラウザエンジン２１０１と同様に、ＨＴＭＬパーサー３１０２、データベース生成部３１０３、レンダリング部３１０４、画像処理部３１０５の各機能ブロックから構成される。ＨＴＭＬパーサー３１０２、データベース生成部３１０３、レンダリング部３１０４、画像処理部３１０５の説明は、ブラウザエンジン２１０１と同様のため、詳細の説明は省略する。
【００７９】
接続機器認証部３１０６は、テレビ受信機１からの認証を受けるために、ユーザーによる入力手段４１を用いた入力によって予め各種データに記憶された接続機器の認証情報を、通信Ｉ／Ｆ３９、無線ルーター５を経由して、テレビ受信機１の接続機器認証部２１０６に対して送信する。また、２回目以降に認証を行う場合は、ストレージ３４の各種データに記憶された接続機器の認証情報を参照することにより認証情報の入力を省略することもできる。
【００８０】
さらに、接続機器認証部３１０６は、各種データに記憶された認証情報をコンテンツの配信先の認証情報として、通信Ｉ／Ｆ３９または移動体通信Ｉ／Ｆ４０を経由して後述するコンテンツ配信サーバー７のユーザー管理部４１０１に対して送信する機能を持つ。
【００８１】
番組関連情報表示処理部３１０７は、通信Ｉ／Ｆ３９または移動体通信Ｉ／Ｆ４０を通して番組関連情報配信サーバー７から送信されるキーワード、リンク情報などの番組関連情報またはキーワード呈示情報を取得し、取得した番組関連情報に基づいて表示部３８に番組関連情報表示画面を作成する。番組関連情報表示画面の各番組関連情報欄には番組関連情報配信サーバー７から取得したキーワードまたはリンク情報などの一部または全部を表示することができる。また、番組関連情報表示処理部３１０７は、番組または番組の場面に関連付けられたキーワード呈示情報により、呈示タイミングを制御する。また、テレビ受信機１の通信Ｉ／Ｆ２２および通信Ｉ／Ｆ３９を経由して、放送局８または番組関連情報配信サーバー７から送信される番組関連情報またはキーワード呈示情報を受信し、番組関連情報表示画面の各番組関連情報欄に表示することができる。
【００８２】
コンテンツ再生部３１０８は、通信Ｉ／Ｆ３９または移動体通信Ｉ／Ｆ４０を介して、コンテンツサーバー７等から配信されるコンテンツ（例えば映画やドラマなど）のデータやコンテンツ情報を受信し、逐次受信した映像や音声等を再生することでユーザーに提示する。本実施例では、ストリーミングによるコンテンツの配信および再生の場合について説明する。
【００８３】
また、コンテンツの再生停止位置の情報は、ストレージ３４の各種データにレジューム情報として保存され、同一コンテンツの再生を再開する場合にレジューム情報から再生停止した位置データを取得し再生開始位置とすることができる。
【００８４】
[サーバーのソフトウェア構成]
図２（ｃ）は、図１（ｄ）における、番組関連情報配信サーバー７の構成のうちメモリ５２とストレージ５３の構成を示す図である。また図２（ｃ）は、ストレージ５３にユーザー管理プログラム４００１、番組情報取得プログラム４００２、番組関連情報抽出プログラム４００３、広告情報抽出プログラム４００７、番組場面同期処理プログラム４０１０およびコンテンツ配信プログラム４０１１を格納している。これらのプログラムは、制御部５１により、メモリ５２にユーザー管理部４１０１、番組情報取得部４１０２、番組関連情報抽出部４１０３、広告情報抽出部４１０７、番組場面同期処理部４１１０およびコンテンツ配信部４１１１として展開し、制御部５１が上記プログラムを実行することで各種機能を実現することができる。ユーザー管理プログラム４００１、番組情報取得プログラム４００２、番組関連情報抽出プログラム４００３、広告情報抽出プログラム４００７、番組場面同期処理プログラム４０１０およびコンテンツ配信プログラム４０１１は、予め外部ストレージなどから格納することができる。
【００８５】
ユーザー管理部４１０１は、ユーザー毎に認証を行うためのユーザー認証情報などを管理する。ユーザー認証情報は、ストレージ５３の各種データに保存される。ユーザー管理部４１０１は、通信Ｉ／Ｆ５０、外部ネットワーク６を通して無線端末３やテレビ受信機１のユーザーにより入力手段４１または入力手段２３を用いた入力によって入力されたユーザー名およびパスワードのユーザー認証情報を取得し、正規の登録ユーザーであるかどうかを確認する。もし、ユーザー認証情報が正しくなかった場合は、エラー情報を返信する機能を持つ。
【００８６】
番組情報取得部４１０２は、通信Ｉ／Ｆ５０、外部ネットワーク６を通して放送事業者や番組情報提供事業者などからの番組配列情報ＳＩから番組情報を取得し、取得した番組情報に基づいて、サービスＩＤごとに時系列に沿って番組タイトル、番組詳細情報などの各番組情報をストレージ５３に保存する。
【００８７】
番組関連情報抽出部４１０３は、図２（ｃ）に示すようにキーワード抽出部４１０４、リンク情報抽出部４１０５およびコンテンツ情報抽出部４１０６の各機能ブロックから構成され、通信Ｉ／Ｆ５０、外部ネットワーク６を通して放送事業者や番組情報提供事業者などからの番組配列情報ＳＩまたはメタデータなどから取得した番組情報から番組関連情報を抽出する。
【００８８】
キーワード抽出部４１０４は、番組タイトル、番組詳細情報などの各番組情報からキーワードとなる情報または文字列を抽出する。
【００８９】
キーワード抽出部４１０４は、各番組情報から自立語単位または単語単位で語句を検出し、語句辞書４２０２により文字列の先頭文字から順に１文字、あるいは先頭と次の２文字といった組み合わせで語句辞書データと照合し、該当する語句があれば、この自立語単位または単語単位の語句をキーワードとして、図１（ｄ）に示すストレージ５３の番組関連情報データベース５４に登録する。また、放送事業者がお勧めするキーワードを番組関連情報データベース５４に登録することもできる。
【００９０】
リンク情報抽出部４１０５は、キーワード抽出部４１０４により抽出されたキーワードに、放送事業者や番組情報提供事業者などがお勧めする詳細情報がある場合は、抽出したキーワードと詳細情報とを関連付けたリンク情報を番組関連情報データベース５４に登録する。
【００９１】
キーワード抽出部４１０４またはリンク情報抽出部４１０５から抽出されたキーワードまたはリンク情報は、番組配列情報ＳＩまたはメタデータなどから取得でき、放送開始時刻までに予め提供できる一次情報と、実際に放送された番組内容から抽出したメタデータなどから取得でき、放送開始後または放送終了後から提供できる二次情報から構成される。
【００９２】
二次情報を放送開始前に提供する場合は、決められた手順により暗号化したり、キーワード呈示情報を付加することにより、放送開始前にユーザーに呈示できないようにして、放送開始後に自動的に呈示したり、番組の場面等に合わせて呈示タイミングを制御するようにできる。また、二次情報は、呈示開始時刻以降に予告として先にリンク情報無しでキーワードのみを呈示することができる。この場合は、詳細情報の呈示予定時刻などの情報をメッセージ表示したり、呈示された場合にメッセージを表示したり使用者の無線端末にメールすることにより、ユーザーに事前情報を伝えることができる。
【００９３】
コンテンツ情報抽出部４１０６は、放送番組に関する動画コンテンツなどが登録されたデータベースから前回放送分、本日放送、関連映像などの映像配信のリンク情報などを抽出し、コンテンツ関連情報と関連付けする。また、コンテンツ関連情報もキーワードまたはリンク情報の場合と同様に、放送開始時刻までに予め提供できる一次情報と、実際に放送された番組内容から抽出したメタデータなどから取得でき、放送開始後または放送終了後から提供できる二次情報から構成される。
【００９４】
広告情報抽出部４１０７は、図２（ｃ）に示すようにキーワード抽出部４１０８およびリンク情報抽出部４１０９の各機能ブロックから構成される。
【００９５】
キーワード抽出部４１０８は、番組スポンサーから予め提供される広告情報からキーワードとなる情報を抽出し、図１（ｄ）に示すストレージ５３の広告情報データベース５５に登録する。また、番組スポンサーがお勧めするキーワードを登録することもできる。
【００９６】
リンク情報抽出部４１０９は、キーワード抽出部４１０８により抽出されたキーワードに、番組スポンサーがお勧めする詳細情報がある場合は、抽出したキーワードと詳細情報とを関連付けたリンク情報を広告情報データベース５５に登録する。
【００９７】
キーワード抽出部４１０８およびリンク情報抽出部４１０９から抽出されたキーワードまたはリンク情報は、上述した番組関連情報抽出部４１０３と同様に放送開始時刻までに予め提供できる一次情報と、放送開始後または放送終了後から提供できる二次情報から構成される。広告情報は、スポンサーの意向により一次情報として事前に情報を提供できないような場合は、二次情報のみとすることもできる。また、二次情報を放送開始前に提供する場合は、決められた手順により暗号化したり、呈示開始時刻情報を付加にすることにより、放送開始前にはユーザーに呈示できないようにして、放送開始後に自動的に呈示するようにできる。また、二次情報は、予告として先にリンク情報無しでキーワードのみを呈示することができる。この場合は、詳細情報の呈示予定時刻などの情報をメッセージ表示したり、呈示された場合にメッセージを表示したり使用者の無線端末にメールすることにより、ユーザーに事前情報を伝えることができる。
【００９８】
また、地域に限定した情報は、テレビ受信機１および無線端末３それぞれに初期設定の際に登録する地域コード等、受信地域を識別する地域識別情報を利用しても良い。テレビ受信機１における地域識別情報の登録方法としては、
（１）取り扱い説明書に記載の該当地域の地域コードを入力する、
（２）予め住所と地域コードとの対応テーブルを機器に保持しておき、ユーザーに住所を入力させて、対応する地域コードを地域識別情報として登録する、
（３）予め郵便番号と地域コードとの対応テーブルを機器に保持しておき、ユーザーに郵便番号を入力させて、対応する地域コードを地域識別情報として登録する、
などの方法を採用すれば良い。無線端末１２における地域識別情報の登録方法としては、上記の（１）、（２）、（３）に加えて、
（４）ＧＰＳ受信部で取得した住所情報を用いて対応する地域コードを地域識別情報として登録する、
という方法としてもよい。登録した地域識別情報はそれぞれストレージ２６または３４や図示しない不揮発性メモリなどに格納すれば良い。
【００９９】
番組場面同期処理部４１１０は、番組関連情報抽出部４１０３または広告情報抽出部４１０７より抽出されたキーワード情報またはリンク情報をそれを呈示する番組またはＣＭ等の呈示場面と同期させるために、キーワード情報またはリンク情報を呈示番組または呈示場面と関連付けられたキーワード呈示情報を生成し、ストレージ５３の番組関連情報データベース５４または広告情報データベース５５にキーワード、リンク情報に関連付けられて格納される。キーワード呈示情報としては、時刻情報やタイムコードなど番組の進行に合わせて更新される情報を用いることができる。また、番組単位で呈示すれば良いキーワードやリンク情報は、キーワード呈示情報が無い状態（例えばｎｕｌｌ（空）データ）とすればよい。
【０１００】
コンテンツ配信部４１１１は、通信Ｉ／Ｆ５０、外部ネットワーク６を通して無線端末３やテレビ受信機１などの機器からの配信要求に基づき、ストレージ５３のコンテンツ５７に蓄積された動画などのコンテンツを接続機器の表示性能に合わせて配信制御を行うことができる。
【０１０１】
［データ形式］
次に、図３（ａ）から（ｃ）を用いて、本実施例のネットワーク端末システムに関連するデータ形式について説明する。
【０１０２】
図３（ａ）は、テレビ受信機１から無線端末３に送信される番組状態情報のデータ形式の一例を示す図である。
【０１０３】
テレビ受信機１から無線端末３に送信される番組状態情報は、図３（ａ）に示されるように、ネットワークＩＤ２０１、サービスＩＤ２０２、イベントＩＤ２０３、イベント開始時刻２０４、イベント継続時間２０５およびイベント名称（いわゆる番組タイトル）２０６の形式で構成される。イベント開始時刻２０４は、年、月、時、分、秒の情報を含み、イベント継続時間２０５は、時、分、秒の情報を含む。
【０１０４】
図３（ｂ）は、無線端末３から番組関連情報配信サーバー７に送信される番組関連情報要求に付随して送信される番組状態情報のデータ形式の一例を示す図である。
【０１０５】
無線端末３から番組関連情報配信サーバー７に送信される番組状態情報は、図３（ｂ）に示されるように、図３（ａ）に対して識別ＩＤ２０７が追加された形式で構成される。識別ＩＤ２０７は、無線端末３から番組関連情報配信サーバー７に送信される番組状態情報番組と関連情報配信サーバー７から無線端末３に送信される番組関連情報とを関連付けるもので、関連する情報には同じ番号が割り振られる。
【０１０６】
図３（ｃ）は、番組関連情報配信サーバー７から無線端末３に送信される番組関連情報のデータ形式の一例を示す図である。
【０１０７】
関連情報配信サーバー７から無線端末３に送信される番組関連情報は、図３（ｃ）に示されるように、識別ＩＤ２０８、種類２０９、レベル２１０およびキーワード／コンテンツ２１１の形式で構成される。
【０１０８】
識別ＩＤ２０８は、前述したように図３（ｂ）で示す識別ＩＤ２０７で示される番組状態情報と関連付けるためのもので、関連する情報には同じ番号が割り振られる。
【０１０９】
種類２０９は、関連情報の種類を示すもので、「番組関連情報」、「広告関連情報」および「コンテンツ関連情報」から成る。「番組関連情報」は、放送番組の出演者、関連情報などがキーワードとして登録されたデータベースから抽出される。「広告関連情報」は、放送番組内で提供された番組スポンサーの会社情報、商品情報などが登録されたデータベースから抽出される。「コンテンツ関連情報」は、放送番組に関する動画コンテンツなどが登録されたデータベースから抽出され、前回放送分、本日放送、関連映像などの映像配信のリンク情報などを含む。なお、「コンテンツ関連情報」の詳細については、後述する第三の実施形態で述べる。
【０１１０】
レベル２１０は、複数階層から成っており、本実施例ではレベル１およびレベル２で構成されており、各レベルは放送番組、コンテンツの種類等により一部を省略することもできる。本実施例では、コンテンツ関連情報は、レベル２のみの場合として説明する。
レベル１は、リンク指定無しのキーワードを示し、そのキーワードを使用して検索エンジンでフリーワード検索できる。
【０１１１】
レベル２は、リンク指定有りのキーワードを示し、予めそのキーワードに関連するＷＥＢページなどの詳細情報へのリンク先情報が指定されている。また、レベル２のキーワードに関してもレベル１のキーワードと同様にして、そのキーワードを使用してフリーワード検索することが可能となっている。
【０１１２】
また、二次情報のレベル１またはレベル２のキーワードは、呈示開始時刻および呈示期間からなるキーワード呈示情報を指定することができ、番組の開始またはＣＭ等の場面の切り替わり等に同期して呈示するようにできる。また、キーワード呈示情報を指定しない場合は、関連情報を受け取った時点で直ちに呈示するようにもできる。さらに、所定期間内に詳細情報が呈示されるキーワードについては、呈示開始をお知らせするような予約登録を行うことができる。
【０１１３】
キーワード／コンテンツ２１１は、予め決められた上限の個数まで設定することができる。また、本実施例では、テキスト情報によるリンク指定有りのキーワードとしているが、画像等のオブジェクトからのリンク指定としてもよい。
【０１１４】
［動作フロー／シーケンス］
次に、図４から図６を用い、入力手段４１がユーザーからの操作を受け無線端末３が番組関連情報を表示部３８に表示する場合の例について説明する。
図４は、番組関連詳細情報の表示を行うための動作フロー／シーケンスの一例を示す図である。
【０１１５】
本実施例では、現在視聴中の番組に関して、番組関連情報配信サーバー７から外部ネットワーク６を経由して番組関連情報を取得する例について述べる。テレビ受信機の通信Ｉ／Ｆ２２を通して放送局８または番組関連情報配信サーバー７から送信される番組関連情報を取得する例については後述する。
【０１１６】
Ｓ２００１：以降で説明する図７において番組関連情報３１１が入力手段４１により選択されると、番組関連情報表示処理部３１０７は、入力手段４１より番組関連情報画面起動の指令を受けて番組関連情報画面を表示する。
【０１１７】
Ｓ２００２：制御部３７は、入力手段４１により入力されたユーザー名およびパスワードのログイン情報を番組関連情報配信サーバー７に対して送信する。
【０１１８】
Ｓ２００３：番組関連情報配信サーバー７は、ユーザー管理部４１０１によりストレージ５３の各種データに保存されたユーザー認証情報を参照し、正規の登録ユーザーであればユーザーを認証する。
【０１１９】
Ｓ２００４：入力手段４１により接続する機器が選択されると、無線端末３の接続機器認証部３１０６は、テレビ受信機１からの認証を受けるために、あらかじめ各種データに登録された接続機器認証情報を通信Ｉ／Ｆ３９、通信Ｉ／Ｆ２２を経由して、テレビ受信機１の接続機器認証部２１０６に対して送信する。
【０１２０】
Ｓ２００５：テレビ受信機１の接続機器認証部２１０６は、無線端末３から接続機器認証情報を受信すると、各種データに記憶された認証情報と無線端末３から送信された認証情報を比較する。
【０１２１】
Ｓ２００６：認証情報が一致する場合は（Ｓ２００５：ＹＥＳ）、無線端末３に対して接続を許可するために接続機器認証応答を送信する。認証情報が一致しない場合はエラー表示を無線端末５の表示部３８に表示させるために、認証失敗の旨の接続機器認証応答を送信して処理を終了する（Ｓ２００５：ＮＯ）。
【０１２２】
Ｓ２００７：接続機器認証応答を受信した無線端末５の制御部３７は、通信Ｉ／Ｆ３９を介してテレビ受信機１に対して、番組状態情報の送信を要求する。
【０１２３】
Ｓ２００８：テレビ受信機１の制御部２４は、通信Ｉ／Ｆ２２を介して無線端末３から番組状態情報の送信要求を受信すると、現在視聴している番組の番組配列情報ＳＩから図３（ａ）に示すデータ形式で番組状態情報を作成し、無線端末３の通信Ｉ／Ｆ３９を経由して番組関連情報表示処理部３１０７に送信する。
【０１２４】
Ｓ２００９：番組関連情報表示処理部３１０７は、制御部２４から送信された番組状態情報を受信し、受信した番組状態情報に識別ＩＤ２０７を付加して、番組関連情報配信サーバー７に通信Ｉ／Ｆ３９、無線ルーター５および外部ネットワーク６を経由して図３（ｂ）で示すデータ形式で番組関連情報の送信を要求する。
【０１２５】
Ｓ２０１０：番組関連情報配信サーバー７の制御部５１は、通信Ｉ／Ｆ５０を介して無線端末３からの視聴番組関連情報の送信要求を受信すると、ストレージ５３の番組関連情報データベース５４、広告情報データベース５５のデータを参照し、視聴番組に関係する情報を図３（ｃ）に示すデータ形式で作成し、通信Ｉ／Ｆ５０、外部ネットワーク６および無線端末３の通信Ｉ／Ｆ３９を経由して番組関連情報表示処理部３１０７に送信する。また、番組関連情報には、キーワード呈示情報が付加されており、キーワード呈示情報が示す呈示タイミングに合わせて番組関連情報が呈示される。
【０１２６】
Ｓ２０１１：番組関連情報表示処理部３１０７は、受信した番組関連情報を基に、以降で説明する図８に示すように表示部３８に番組関連情報を表示する。
【０１２７】
Ｓ２０１２：制御部３７は、入力手段４１により番組関連情報表示画面に表示されたキーワードが選択されたことを検知する。
【０１２８】
Ｓ２０１３：制御部３７は、選択されたキーワードが、レベル１またはレベル２なのかを判定する。
【０１２９】
Ｓ２０１４：ステップＳ２０１３で判定されたキーワードがレベル１であれば（Ｓ２０１３：ＹＥＳ）、キーワードによる表示とする。
【０１３０】
Ｓ２０１５：ステップＳ２０１３で判定されたキーワードがレベル２であれば（Ｓ２０１３：ＮＯ）、指定ＵＲＬによる表示とする。
【０１３１】
Ｓ２０１６：ステップＳ２０１３の判定の後に、制御部３７は、ブラウザエンジン３１０１を起動する。
【０１３２】
Ｓ２０１７：ブラウザエンジン３１０１は、ＨＴＴＰに準拠したＷｅｂコンテンツ等のリソースを要求するリクエストメッセージを制御部３７、通信Ｉ／Ｆ３９、無線ルーター５を経由して、外部ネットワーク６からネットワーク上のＵＲＬにより特定されるサーバーに送信する。
ＵＲＬにより特定されるサーバーは、受け取ったリクエストメッセージに応じたレスポンスメッセージを作成して返信する。返信されたレスポンスメッセージは、外部ネットワーク６を経由してブラウザエンジン３１０１に入力される。レスポンスメッセージにはＨＴＭＬ文書が埋め込まれており、ブラウザエンジン３１０１のＨＴＭＬパーサー３１０２、データベース生成部３１０３、レンダリング部３１０４、画像処理部３１０５によりブラウザ表示画面を生成し、番組関連詳細情報を表示部３８に表示する。
【０１３３】
ここで、図４では、現在視聴中の番組に関する関連情報を表示する例について述べたが、デジタル放送の録画番組を再生している場合でも同様に再生中の番組に関する関連情報を表示することができる。この場合は、テレビ受信機１の制御部２４は、録画番組一覧作成部２１０９で作成された録画番組一覧データから録画番組一覧を表示部２０に表示し、入力手段２３により録画番組を選択し、選択された録画番組をコンテンツ再生部２１０８で再生する。このとき、無線端末３からのステップＳ２００７の番組状態情報の送信要求に対して、テレビ受信機１の制御部２４は、ストレージ２６の各種データに格納されている録画番組一覧データから現在再生している番組の番組状態情報を取得し、無線端末３に送信するようにすればよい。また、録画番組や現在放送中の番組を視聴していない状態であっても、録画番組一覧や電子番組表で選択した番組について図４と同様のステップを行うことによって番組関連情報を無線端末５に表示し、選択されたキーワードに応じたブラウザ表示画面を生成することができる。
【０１３４】
次に、図５は、番組関連詳細情報の表示を行うための動作フロー／シーケンスの変形例の一例を示す図である。
【０１３５】
図５は、テレビ受信機１のチャンネルを選局した場合の一例を示す。
図５は、図４に対してステップＳ２１０１が追加になっている。また、チャンネルが変更される場合は、チャンネル変更に同期してステップＳ２００８状態情報を送信するようにすることにより、ステップＳ２００７を省略している。
【０１３６】
Ｓ２００１〜Ｓ２００６：図４の動作ステップと同様のため説明を省略する。
【０１３７】
Ｓ２１０１：テレビ受信機１の入力手段４１は、視聴しているチャンネルの変更を受け付ける。
【０１３８】
Ｓ２００８：テレビ受信機の制御部２４は、無線端末３の通信Ｉ／Ｆ３９を経由してチャンネル変更により更新された番組状態情報を番組関連情報表示処理部３１０７に送信する。
【０１３９】
Ｓ２００９：番組関連情報表示処理部３１０７は、制御部２４から送信された番組状態情報を受信し、受信した番組状態情報に識別ＩＤ２０７を付加して、番組関連情報配信サーバー７に通信Ｉ／Ｆ３９、無線ルーター５および外部ネットワーク６を経由して図３（ｂ）で示すデータ形式で番組関連情報の送信を要求する。
【０１４０】
Ｓ２０１０：番組関連情報配信サーバー７の制御部５１は、通信Ｉ／Ｆ５０を介して無線端末３からの視聴番組関連情報の送信要求を受信すると、ストレージ５３の番組関連情報データベース５４、広告情報データベース５５のデータを参照し、視聴番組に関係する情報を図３（ｃ）に示すデータ形式で番組関連情報を作成し、通信Ｉ／Ｆ５０、外部ネットワーク６および無線端末３の通信Ｉ／Ｆ３９を経由して番組関連情報表示処理部３１０７に送信する。
【０１４１】
Ｓ２０１１〜Ｓ２０１７：図４の動作ステップと同様のため説明を省略する。
【０１４２】
以上のように、テレビ受信機１のチャンネルを切り換えても、チャンネル選局後の新しいチャンネルの番組関連詳細情報を表示部３８に表示することができる。
【０１４３】
次に、図６は、番組関連詳細情報の表示を行うための動作フロー／シーケンスの変形例の一例を示す図である。
【０１４４】
図６は、テレビ受信機の通信Ｉ／Ｆ２２を通して放送局８または番組関連情報配信サーバー７から送信される番組関連情報を取得し、無線端末３に送信する場合の一例を示す。
図６は、図４に対して、無線端末３は番組関連配信サーバー７との直接の通信は不要となるため、ステップＳ２００２、Ｓ２００３、Ｓ２００９およびＳ２０１０が省略されている。また、ステップＳ２００７、Ｓ２００８は、それぞれステップＳ２２０１、Ｓ２２０２に変更になっている。
【０１４５】
Ｓ２００１、Ｓ２００４、Ｓ２００５およびＳ２００６：図４の動作ステップと同様のため説明を省略する。
【０１４６】
Ｓ２２０１：制御部３７は、通信Ｉ／Ｆ３９を介してテレビ受信機１に対して、番組関連情報の送信を要求する。
【０１４７】
Ｓ２２０２：テレビ受信機１の制御部は、通信Ｉ／Ｆ２２を介して無線端末３から番組関連情報の送信要求を受信すると、現在視聴している番組の番組関連情報を図３（ｃ）に示すデータ形式で番組関連情報を作成し、さらにキーワード呈示情報を付加して、無線端末３の通信Ｉ／Ｆ３９を経由して番組関連情報表示処理部３１０７に送信する。ただし、図３（ｃ）における識別ＩＤ２０８は本実施例では必要ないため、付加しなくても良い。
【０１４８】
Ｓ２０１１〜Ｓ２０１７：図４の動作ステップと同様のため説明を省略する。
【０１４９】
以上のように、放送局８または番組関連情報配信サーバー７から送信される番組関連情報をテレビ受信機１で取得し、その番組関連情報を無線端末３に送信することにより、図４の場合と同様に受信した番組関連情報を基に、表示部３８に番組関連情報を表示することができる。
【０１５０】
ここで、図５または図６に示す動作フロー／シーケンスは、何れかまたは両方を図４に示す動作フロー／シーケンスと併用することも可能である。また、テレビ受信機１側で番組関連情報をキーワード呈示情報が示す呈示タイミングに合わせたものを無線端末３に送信することにより、無線端末３側で同期を取る必要がないようにすることもできる。また、放送開始時刻までに予め提供できる一次情報はテレビ受信機１側で取得し、放送開始後または放送終了後から提供できる付加的な二次情報は無線端末３側で取得するようにすることもできる。
【０１５１】
以上のように、テレビ受信機１の通信Ｉ／Ｆ２２を通して放送局８または番組関連情報配信サーバー７から送信される番組関連情報を、無線端末３から取得する場合と同様に取得することができる。
【０１５２】
［画面表示例］
次に、図７から図１１を用いて、無線端末３の入力手段４１がユーザーからの操作を受け、無線端末３に番組関連情報を表示して、番組関連詳細情報を表示する場合について画面表示の例を用いて説明する。
【０１５３】
図７は、無線端末３のメニュー画面の表示例を示す。
図７において、「番組関連情報」３１１をタップ操作すると、図４に示すＳ２００１からＳ２０１１までの動作フロー／シーケンスにより無線端末３の表示部３８に図８に示すような番組関連情報画面が表示される。番組関連情報画面は、一例として番組タイトル表示部３１３と番組関連表示部３１４から構成されている。
【０１５４】
図８は、番組関連情報画面の表示例を示す。
番組タイトル表示部３１３にはＳ２００８で取得した番組状態情報に含まれる現在放送中の番組の番組タイトル、放送時刻、チャンネル番号が表示され、番組関連表示部３１４には、Ｓ２０１０で取得した番組関連情報に含まれるキーワード、出演者およびスポンサーからの情報が表示される。また、「更新」ボタン３１２をタップ操作することにより、番組関連情報を最新情報に更新することができる。また、図示はしていないが、特定の周期で自動的に更新するような選択画面を付加することもできる。手動または自動更新する場合は、図４ではステップＳ２００７からＳ２０１０、図６ではステップＳ２２０１からＳＳ２２０２を再度実行するようにすればよい。自動更新は、前述したようにキーワード呈示情報が示す呈示タイミングに合わせて番組関連情報を呈示し、番組または番組の場面に呈示タイミングを同期する場合に有用である。
【０１５５】
図８の例では番組関連表示部３１４には、種類２１０の「番組関連情報」が「出演者」部３１５および「キーワード」部３１６に表示され、種類２１０の「広告関連情報」が「スポンサー」部３１７に表示される。
【０１５６】
図３（ｃ）に示す「レベル２１５」のレベル１は図８では枠無し表示として表示され、レベル２は枠有りとして表示されている。レベル２の枠有りは文字色を変えたり、アンダーライン表示を行うなどの方法によりレベル１のキーワードと区別して表示しても良い。
【０１５７】
次に、番組関連詳細情報画面を表示する場合について説明する。
【０１５８】
図８の番組関連表示部３１４は、レベル１とレベル２が混在して表示されており、レベル１（枠無し）をタップ操作すると、図９の検索画面のポップアップ画面が表示される。
【０１５９】
図９は、無線端末３における検索画面のポップアップ表示画面３１５の一例を示す図である。
図９において、レベル１（枠無し）は、リンク情報がなくキーワード情報のみであるため、このキーワードを検索語として各種検索を行うことができる。
【０１６０】
タップ操作により「番組表で調べる」３１９を選択した場合は、図示はしていないが、無線端末３が取得した現在放送中または今後放送予定の番組配列情報ＳＩの中から連続ドラマなどの同じ番組タイトルの番組を探したり、同じ出演者が出演している番組を探したりすることが可能となる。「ＸＸＸ検索で調べる」３２０を選択した場合は、ブラウザエンジン３１０１が起動していない場合はブラウザエンジン３１０１を起動し、「ＸＸＸ」で示される所定のＷｅｂ検索エンジンを使用して、Ｗｅｂ検索することができる。また、「ＹＹＹで調べる」３２１を選択した場合も、ブラウザエンジン３１０１を起動し、Ｗｅｂ上のフリー百科辞典などの「ＹＹＹ」で示されるＷｅｂサービスでキーワードから関連情報を検索できる。なお、「ＸＸＸ検索で調べる」３２０、「ＹＹＹで調べる」３２１は、使用するＷｅｂ検索エンジンやＷｅｂサービスの数に応じて複数表示することも可能であり、また、無線端末３内に図示しないデータベースを有している場合には、当該データベースからキーワードを検索することも可能である。無線端末３内に有するデータベースを使用する場合、番組関連情報表示処理部３１０７がデータベースから検索結果を取得してポップアップなどの形式で検索結果を表示することも可能であり、選択されたキーワードをデータベースを管理するアプリケーションに送信し、当該アプリケーションの操作画面上に検索結果を表示させることも可能である。検索を中止する場合は、「中止」３２２を選択すると、元の図８の画面に戻る。
【０１６１】
次に、図８のレベル２（枠有り）をタップ操作した場合の例について説明する。
図８でキーワードをタップ操作で選択すると、図１０の検索画面のポップアップ画面３１８が表示される。
【０１６２】
図１０は、図９における検索画面のポップアップ表示画面３１８の変形例を示す図である。
図１０において、レベル２（枠有り）はリンク情報を持つため、図９の検索画面に対して「指定ＵＲＬへ」３２３が追加されている。「指定ＵＲＬへ」３２３をタップ操作すると、ＵＲＬにより特定されるサーバーからにＷｅｂコンテンツ情報を取得し図１１に示すＷｅｂコンテンツ画面３２４を表示する。また、レベル２のキーワードは、「番組表で調べる」３１９、「ＸＸＸ検索で調べる」３２０、「ＹＹＹで調べる」３２１で、検索語として各種検索を行うこともできる。「番組表で調べる」３１９、「ＸＸＸ検索で調べる」３２０、「ＹＹＹで調べる」３２１および「中止」３２２は、図９の説明と同様のため説明を省略する。
【０１６３】
図１１は、Ｗｅｂコンテンツ画面の表示例を示す。
図１１において、「戻る」ボタン３２５は、前に立ち寄った又は前に見ていたＷｅｂページを１つのレベル分だけ上に移動するためのボタンである。また、「進む」ボタン３２６は、前に立ち寄った又は前に見ていたＷｅｂページを１つのレベル分だけ下に移動するためのボタンである。また、「関連情報へ戻る」ボタン３２７を選択することにより、検索画面を終了して図８に示す画面に戻ることができる。
【０１６４】
このように、テレビ受信機１でテレビ放送を視聴するユーザーは、無線端末３上でキーワードに係る文字列をタップ操作により選択し、インターネット網をはじめとする外部ネットワークもしくは無線端末３が備えるデータベースを介して関連情報を取得することができる。また、デジタル放送受信機を内蔵していない無線端末でも、番組または番組の場面に合わせて番組関連情報を表示できる。また、外部ネットワークの負荷等によりデータ取得が遅延することが予想される場合でも、番組または番組の場面に合わせて番組関連情報を呈示することもできる。また、テレビ放送を表示するテレビ受信機と、情報検索用のための文字列を表示する無線端末が別であるため、情報検索のためにテレビ放送の視聴が中断され、或いは、ＯＳＤ表示や特殊な記号を表示することによって視聴中の番組が見づらくなる問題は解消される。
【実施例２】
【０１６５】
以下、図１２、図１３を用いて、本発明に係る第二の実施形態を説明する。また、第一の実施形態と比較し、異なるところを強調して説明する。
【０１６６】
［システム構成］
本実施形態でのネットワーク端末システムは、第一の実施形態における図１と同様に、テレビ受信機１、無線端末２、無線ルーター５、外部ネットワーク６、番組関連情報配信サーバー７から構成される。
【０１６７】
テレビ受信機１、無線端末３、番組関連情報配信サーバー７の各部の構成については、第一の実施形態と同じために説明を省略する。
【０１６８】
［ソフトウェア構成］
ソフトウェア構成については、第一の実施形態と同じため説明を省略する。
【０１６９】
［動作フロー／シーケンス］
図１２は、番組関連詳細情報の表示を行うための動作フロー／シーケンスの一例を示す図である。
第一の実施形態の図４に対して、ステップＳ２０１５とステップＳ２０１６の間に、ステップＳ２３０１からステップＳ２３０４が追加になっている。
【０１７０】
レベル２のキーワードに関する詳細情報は、キーワード呈示情報により示された呈示タイミングにおいてまだ呈示内容が確定していない場合がある。本実施形態では、放送事業者等の選択により指定ＵＲＬが表示されず、キーワードのみが呈示されている場合について説明する。
【０１７１】
Ｓ２００１〜Ｓ２０１０：図４の動作ステップと同様のため説明を省略する。
【０１７２】
Ｓ２０１１：番組関連情報表示処理部３１０７は、受信した番組関連情報を基に、表示部３８に番組関連情報を表示する。
【０１７３】
Ｓ２０１２：制御部３７は、入力手段４１により番組関連情報表示画面に表示されたキーワードが選択されたことを検知する。
【０１７４】
Ｓ２０１３：制御部３７は、選択されたキーワードが、レベル１またはレベル２なのかを判定する。
【０１７５】
Ｓ２０１４：ステップＳ２０１３で判定されたキーワードがレベル１であれば（Ｓ２０１３：ＹＥＳ）、キーワードによる表示とする。
【０１７６】
Ｓ２０１５：ステップＳ２０１３で判定されたキーワードがレベル２であれば（Ｓ２０１３：ＮＯ）、指定ＵＲＬによる表示とする。
【０１７７】
Ｓ２３０１：制御部３７は、選択されたキーワードに現在「未呈示情報有り」か否かを判定する。「未呈示情報有り」とは、すでにキーワード呈示情報に含まれる呈示開始時刻になっているが、詳細情報のためのリンク情報等が未開示になっており、キーワードのみが表示されている状態を示している。未呈示情報がなければ（Ｓ２３０１：ＮＯ）、指定ＵＲＬの画面を表示する。
【０１７８】
Ｓ２３０２：ステップＳ２３０１で未呈示情報有りと判定された場合（Ｓ２３０１：ＹＥＳ）、以降で説明する図１３に示すように表示部３８に呈示情報の予約画面を表示する。制御部３７は、ユーザーが入力手段４１により呈示情報を予約することを検知した場合、予約情報を通信Ｉ／Ｆ３９、無線ルーター５を経由して、外部ネットワーク６からネットワーク上の番組関連情報配信サーバー７に送信する（Ｓ２３０２：ＹＥＳ）。呈示情報の予約を行わない場合は、ここでステップを終了する（Ｓ２３０２：ＮＯ）。
【０１７９】
Ｓ２３０３：番組関連情報配信サーバー７の制御部５１は、詳細情報のためのリンク情報が開示されたかどうかを判定する。ステップＳ２３０３で詳細情報のためのリンク情報が開示されるまでは所定の間隔、若しくは図１３には図示しないユーザに指定された間隔など、必要に応じて判定を続ける（Ｓ２３０３：ＮＯ）。
【０１８０】
Ｓ２３０４：ステップＳ２３０３で詳細情報のためのリンク情報が開示されたことを判定すると（Ｓ２３０３：ＹＥＳ）、無線端末３に対して呈示開始メッセージを送信する。なお、事前に無線端末３のユーザーのメールアドレスが登録されていれば、メールによる呈示開始メッセージを送信するようにしてもよい。また、ステップＳ２３０４で呈示開始情報のみ送信し、無線端末３でメールを生成して自らにメールを発行するようにしてもよい。また、無線端末３の表示部３８にポップアップを表示する方法や、図１（ｃ）には図示しないスピーカーから音声を出力するなどの方法でユーザに通知しても良い。
【０１８１】
Ｓ２０１６、Ｓ２０１７：図４の動作ステップと同様のため説明を省略する。
【０１８２】
［画面表示例］
図１３は、図１０における検索画面のポップアップ表示画面３１８の変形例を示す図である。図１３は、選択されたキーワードがレベル２であり、レベル２のキーワードに関する詳細情報は、キーワード呈示情報に示された呈示タイミングにおいてまだ呈示内容が確定していなく、キーワードのみが呈示されている場合の表示例を示す。詳細情報などのリンク情報が無いキーワードが選択されると、ポップアップ表示画面３１８には、図１０の「指定ＵＲＬへ」３２３の代わりに「呈示予約」３３２が表示される。また、選択されたキーワードは未呈示情報有りと判定されメッセージ３３１が表示される。メッセージ３３１には、現在未登録であることと、呈示開始予定時刻（または日付）が判明している場合には、その予定時刻（または日付）を事前情報として表示できる。また、呈示予約ボタン３３２をタップ操作により選択すると、予約登録を行うことができる。
【０１８３】
なお、未呈示情報の有るレベル２のキーワードは、呈示開始までの間、図８の表示画面においてレベル１と同様に取り扱い、枠無しの表示とし、呈示開始後は枠ありの表示とすることもできる。
また、呈示期間が設定されているレベル２のキーワードは、呈示期間経過後はレベル１のキーワードと同様に取り扱い、枠無し表示として表示することができる。
また、現在詳細情報を表示することができないレベル２のキーワードは図８のレベル１ともレベル２とも異なる表示形式にすることができる。
【０１８４】
このように、番組関連情報に未呈示情報がある場合は、呈示開始のタイミングで呈示開始メッセージまたはメールを受信することができ、番組関連情報の見逃しを防ぐこともできる。また、詳細情報を表示することができないレベル２のキーワードと詳細情報を表示することができるレベル２のキーワードを識別できるようになり、ユーザーの使い勝手を向上させることができる。また、詳細情報を表示することができないレベル２のキーワードは呈示予約を行うことができる。
【実施例３】
【０１８５】
以下、図１４から図１７を用いて、本発明に係る第二の実施形態を説明する。また、第一の実施形態と比較し、異なるところを強調して説明する。
【０１８６】
［システム構成］
本実施形態でのネットワーク端末システムは、第一の実施形態における図１と同様に、テレビ受信機１、無線端末２、無線ルーター５、外部ネットワーク６、番組関連情報配信サーバー７から構成される。
【０１８７】
テレビ受信機１、無線端末３、番組関連情報配信サーバー７の各部の構成については、第一の実施形態と同じために説明を省略する。
【０１８８】
［ソフトウェア構成］
ソフトウェア構成については、第一の実施形態と同じため説明を省略する。
【０１８９】
［動作フロー／シーケンス］
図１４は、番組関連詳細情報の表示を行うための動作フロー／シーケンスの一例を示す図である。
第一の実施形態の図４に対して、ステップＳ２０１２からステップＳ２０１７の代わりに、ステップＳ２４０１からステップＳ２４１０が追加になっている。
【０１９０】
第一または第二の実施形態では、番組関連情報として、キーワードまたはキーワードに関する詳細情報を表示する場合について述べたが、本実施形態では番組関連情報として映像や音声や文字情報などのコンテンツをインターネットで配信するサービスを使用する場合のコンテンツ関連情報の場合について説明する。
【０１９１】
Ｓ２００１〜Ｓ２００６：図４の動作ステップと同様のため説明を省略する。
【０１９２】
Ｓ２００７：制御部３７は、通信Ｉ／Ｆ３９を介してテレビ受信機１に対して、番組状態情報の送信を要求する。
【０１９３】
Ｓ２００８：テレビ受信機１の制御部２４は、通信Ｉ／Ｆ２２を介して無線端末３から番組状態情報の送信要求を受信すると、現在視聴している番組の番組配列情報ＳＩから図３（ａ）に示すデータ形式で番組状態情報を作成し、無線端末３の通信Ｉ／Ｆ３９を経由して番組関連情報表示処理部３１０７に送信する。
【０１９４】
Ｓ２００９：番組関連情報表示処理部３１０７は、制御部２４から送信された番組状態情報を受信し、受信した番組状態情報に識別ＩＤ２０７を付加して、番組関連情報配信サーバー７に通信Ｉ／Ｆ３９、無線ルーター５および外部ネットワーク６を経由して図３（ｂ）で示すデータ形式で番組関連情報の送信を要求する。
【０１９５】
Ｓ２０１０：番組関連情報配信サーバー７の制御部５１は、通信Ｉ／Ｆ５０を介して無線端末３からの視聴番組関連情報の送信要求を受信すると、ストレージ５３のコンテンツデータベースのデータを参照し、視聴番組に関係する情報を図３（ｃ）に示すデータ形式で番組関連情報を作成し、通信Ｉ／Ｆ５０、外部ネットワーク６および無線端末３の通信Ｉ／Ｆ３９を経由して番組関連情報表示処理部３１０７に送信する。また、番組関連情報には、コンテンツ呈示情報が付加されており、コンテンツ呈示情報が示す呈示タイミングに合わせて番組関連情報が呈示される。
【０１９６】
Ｓ２０１１：番組関連情報表示処理部３１０７は、受信した番組関連情報を基に、以降で説明する図１５に示すように表示部３８に番組関連情報を表示する。
【０１９７】
Ｓ２４０１：制御部３７は、入力手段４１により番組関連情報表示画面に表示されたコンテンツが選択されたことを検知する。
【０１９８】
Ｓ２４０２：制御部３７は、選択されたコンテンツが現在「未呈示情報有り」か否かを判定する。
【０１９９】
Ｓ２４０３：ステップＳ２４０２でコンテンツ配信中でなく「未呈示情報有り」と判定された場合（Ｓ２３０１：ＮＯ）、以降で説明する図１７に示すように表示部３８に呈示情報の予約画面を表示する。制御部３７は、ユーザーが入力手段４１により呈示情報を予約することを検知した場合，予約情報を通信Ｉ／Ｆ３９、無線ルーター５を経由して、外部ネットワーク６からネットワーク上の番組関連情報配信サーバー７に送信する（Ｓ２４０３：ＹＥＳ）。呈示情報の予約を行わない場合はここでステップを終了する（Ｓ２４０３：ＮＯ）。
【０２００】
Ｓ２４０４：番組関連情報配信サーバー７の制御部５１は、コンテンツ関連情報が開示されたかどうかを判定する。ステップＳ２４０４でコンテンツ関連情報が開示されるまでは所定の間隔、若しくは図１３には図示しないユーザに指定された間隔など、必要に応じて判定を続ける（Ｓ２４０４：ＮＯ）。
【０２０１】
Ｓ２４０５：ステップＳ２４０４でコンテンツ関連情報が開示されたことを判定すると（Ｓ２４０４：ＹＥＳ）、無線端末３に対して配信開始メッセージを送信する。なお、事前に無線端末３のユーザーのメールアドレスが登録されていれば、メールによる配信開始メッセージを送信するようにしてもよい。また、配信開始メッセージには、配信開始日時または配信終了日時を含むことができる。また、ステップＳ２４０５で配信開始情報のみ送信し、無線端末３でメールを生成して自らにメールを発行するようにしてもよい。また、無線端末３の表示部３８にポップアップを表示する方法や、図１（ｃ）には図示しないスピーカーから音声を出力するなどの方法でユーザに通知しても良い。
【０２０２】
Ｓ２４０６：ステップＳ２４０２またはＳ２４０４の判定の後に、制御部３７は、ブラウザエンジン３１０１を起動する。
【０２０３】
Ｓ２４０７：制御部２４は、番組関連情報配信サーバー７に対して、コンテンツ配信先のＵＲＬ情報を送信し、配信開始を要求する。
【０２０４】
Ｓ２４０８：番組関連情報配信サーバー７のコンテンツ配信部４１１１は、無線端末３に対してコンテンツ配信を開始する。コンテンツの復号をするための復号鍵情報が必要な場合は、コンテンツ配信に先立ち鍵情報が送信される。
【０２０５】
Ｓ２４０９：入力手段１５を介したユーザーの操作により再生操作を行う。
【０２０６】
Ｓ２４１０：無線端末３のコンテンツ再生部３１０８は、コンテンツの再生処理を行う。復号鍵がある場合には、それを用いて暗号化されたコンテンツの情報を復号してコンテンツの再生を開始する。
【０２０７】
［画面表示例］
図１５および図１６は、第三の実施形態に係る番組関連情報画面の表示例を示す。図１５は、図８に対して番組関連表示部３１４に関連コンテンツが追加になった番組関連情報の表示例を示す。
【０２０８】
本実施例では、関連コンテンツとして、レベル２のコンテンツとして「前回放送分」３２７または「本日放送分」３４１があり、「前回放送分」３４２のコンテンツ関連情報はすでに呈示されており、「本日放送分」３４２は、今後コンテンツ配信予定のものである。すでに呈示開始時刻になっているが、詳細情報のためのコンテンツ配信が未開示になっており、タイトルのみが開示状態となっている。このため、「本日放送分」３４２は、「未呈示情報有り」と判定される。
【０２０９】
図１６は、無線端末３のコンテンツ詳細表示画面の表示例を示す。
【０２１０】
入力手段４１によりタップ操作で「前回放送分」３４２が選択されると、図１６に示すコンテンツ詳細表示画面を表示する。図１６において、コンテンツ詳細部３４３には、タイトル、出演者、内容詳細などが表示される。「プレビュー」ボタン３４４は、視聴開始する前にコンテンツ内容の一部を確認するためのボタンである。インデックス画面３４５はコンテンツの一場面を表す静止画像である。「視聴開始」ボタン３４６は、コンテンツを選択し視聴を開始するためのボタンである。「戻る」ボタン３４７は、図１５の番組関連情報画面に戻るためのボタンである。
【０２１１】
図１６において、入力手段４１により「購入」ボタン３４６が選択されると、制御部３７はコンテンツ配信サーバー７に対して、コンテンツ配信要求を送信し、コンテンツ配信サーバー７は、コンテンツ配信を開始し、入力手段１５を介したユーザーの操作により表示部３８に再生画面を表示する。
【０２１２】
図１７は、未呈示情報の有る場合にメッセージ３４８を表示した場合の番組関連情報画面の表示例を示す。
【０２１３】
「本日放送分」３４２をタップ操作すると、図１７に示すメッセージ３４８が表示され、メッセージ３４８には、現在未登録であることと、呈示開始予定時刻（または日付）が判明している場合には、その予定時刻（または日付）を事前情報として表示できる。また、配信予約ボタン３４９をタップ操作により選択すると、予約登録を行うことができる。
【０２１４】
なお、未呈示情報の有るレベル２のコンテンツは、呈示開始までの間、図８の表示画面においてレベル１と同様に取り扱い、枠無しの表示とし、呈示開始後は枠ありの表示とすることもできる。
また、現在コンテンツ配信先のリンク情報を表示することができないレベル２のコンテンツ関連情報は、図１５のレベル１ともレベル２とも異なる表示形式にすることができる。
【０２１５】
このように、番組関連情報としてコンテンツ関連情報がある場合でも、コンテンツの再生などを行うことができ、ユーザーの使い勝手を向上させることができる。また、コンテンツ配信の詳細情報を表示することができない場合でも、配信開始予定や配信終了予定の情報も知ることができ、また、配信予約を行うことにより、配信開始のタイミングで配信開始メッセージまたはメールを受信することができるため、見逃しを防止することができる。
【実施例４】
【０２１６】
以下、図１８から図２３を用いて、本発明に係る第四の実施形態を説明する。
なお、本実施形態では、無線端末３上で表示する電子番組表と番組関連情報との連携を行う。また、第一の実施形態と比較し、異なるところを強調して説明する。
【０２１７】
［システム構成］
本実施形態でのネットワーク端末システムは、第一の実施形態における図１と同様に、テレビ受信機１、無線端末３、無線ルーター５、外部ネットワーク６、番組関連情報配信サーバー７から構成される。
【０２１８】
テレビ受信機１、無線端末３、番組関連情報配信サーバー７の各部の構成については、第一の実施形態と同じために説明を省略する。
【０２１９】
［ソフトウェア構成］
図１８は、第四の実施形態に係る無線端末３の構成のうちメモリ３３とストレージ３４を示している。
【０２２０】
第一の実施形態の図２（ｂ）に対して、ストレージ３４にＥＰＧ作成プログラム３００９が追加されており、メモリ３３にＥＰＧ作成部３１０９が追加されている。
【０２２１】
図１８において、ストレージ３４にブラウザプログラム３００１、接続機器認証プログラム３００６、番組関連情報表示処理プログラム３００７、コンテンツ再生プログラム３００８およびＥＰＧ作成プログラム３００９を格納している。これらのプログラムは、制御部３７により、メモリ３３にブラウザエンジン３１０１、接続機器認証部３１０６、番組関連情報表示処理部３１０７、コンテンツ再生部３１０８およびＥＰＧ作成部３１０９をメモリ３３にＥＰＧ作成部３１０９として展開し、制御部３７が上記プログラムを実行することで各種機能を実現することができる。ブラウザプログラム３００１、接続機器認証プログラム３００６、番組関連情報表示処理プログラム３００７、コンテンツ再生プログラム３００８およびＥＰＧ作成プログラム３００９は、製品の出荷時点でストレージ３４に格納しておいてもよく、通信Ｉ／Ｆ３９または移動体通信Ｉ／Ｆ４０を介してダウンロードしてもよい。
【０２２２】
以後の説明では説明を簡単にするため、制御部３７が各アプリケーションプログラムを実行して実現する各種機能を、各種プログラム機能部が主体となって実現することとして説明する。
【０２２３】
ＥＰＧ作成部３１０９は、信号分離部３２が分離した番組配列情報を取得し、取得した番組配列情報に基づいてサービスＩＤを一列に配列し、各サービスＩＤごとに時系列に沿ってサービスＩＤの配列とは直行する方向に番組欄を並べた電子番組表を作成する。電子番組表の各番組欄には番組配列情報に含まれる番組内容の詳細などの一部または全部を配置することができる。
【０２２４】
番組関連情報表示処理部３１０７は、通信Ｉ／Ｆ３９または移動体通信Ｉ／Ｆ４０を通して番組関連情報配信サーバー７から送信される情報を取得し、取得した番組関連情報に基づいて表示部３８にＥＰＧ作成部３１０９で作成された電子番組表に関連付けられた番組関連情報表示画面を作成する。番組関連情報表示画面の各番組関連情報欄には番組関連情報配信サーバー７から取得したキーワード、リンク情報またはコンテンツ関連情報などの一部または全部を表示することができる。
【０２２５】
ブラウザエンジン３１０１、接続機器認証部３１０６、コンテンツ再生部３１０８については、第一の実施形態と同様であるため、説明を省略する。
【０２２６】
［動作フロー／シーケンス］
図１９は、番組関連詳細情報の表示を行うための動作フロー／シーケンスの一例を示す図である。本実施形態では、番組関連詳細情報が、キーワードまたはリンク情報である場合について説明するが、第三の実施形態で述べたコンテンツ関連情報である場合についても同様に実施することができる。
【０２２７】
Ｓ２５０１：ＥＰＧ作成部３１０９は、入力手段４１によりＥＰＧ起動の指令を受けると、信号分離部３２から分離された番組配列情報ＳＩを取得する。ＥＰＧ作成部３１０９は、番組配列情報ＳＩに含まれるＥＩＴに基づきＥＰＧ画面を作成し表示部３８にＥＰＧ画面を表示させる。
【０２２８】
Ｓ２００４〜Ｓ２００６：図４の動作ステップと同様のため説明を省略する。
【０２２９】
Ｓ２５０２：ＥＰＧ作成部３１０９は、テレビ受信機１に対して、番組状態情報の送信を要求する。
【０２３０】
Ｓ２５０３：テレビ受信機１の制御部２４は、番組状態情報の送信要求を受信すると、現在視聴している番組の番組配列情報ＳＩから図３（ａ）に示すデータ形式で番組状態情報を作成し、無線端末３の通信Ｉ／Ｆ３９を経由してＥＰＧ作成部３１０９に送信する。ＥＰＧ作成部３１０９は、制御部２４から送信された番組状態情報を受信し、受信した番組状態情報に含まれる番組のネットワークＩＤ、サービスＩＤ、イベントＩＤなどを参照し、現在視聴中の番組とそれ以外の番組を区別して表示する。
【０２３１】
Ｓ２５０４：次に、ＥＰＧ作成部３１０９は、入力手段４１により現在視聴中、現在放送中または過去の番組の番組が選択されたことを検知する。
【０２３２】
Ｓ２５０５：ＥＰＧ作成部３１０９は、選択された番組の番組詳細内容表示画面を表示する。
【０２３３】
Ｓ２００１〜Ｓ２００３、Ｓ２００７、Ｓ２００８：図４の動作ステップと同様のため説明を省略する。
【０２３４】
Ｓ２５０６：番組関連情報表示処理部３１０７は、テレビ受信機１の制御部２４から送信された番組状態情報を受信し、番組関連情報を一括で取得するために、番組関連情報配信サーバー７に通信Ｉ／Ｆ３９、無線ルーター５および外部ネットワーク６を経由して視聴一括番組関連情報の送信を要求する。
【０２３５】
Ｓ２５０７：番組関連情報配信サーバー７の制御部５１は、通信Ｉ／Ｆ５０を介して無線端末３からの一括番組関連情報の送信要求を受信すると、ストレージ５３の番組関連情報データベース５４、広告情報データベース５５およびコンテンツデータベースのデータを参照して一括番組関連情報を作成し、通信Ｉ／Ｆ５０、外部ネットワーク６および無線端末３の通信Ｉ／Ｆ３９を経由して番組関連情報表示処理部３１０７に送信する。
【０２３６】
Ｓ２５０８：番組関連情報表示処理部３１０７は、受信した一括番組関連情報を基に、表示部３８に図２２のように番組関連情報一覧を表示する。
【０２３７】
Ｓ２０１２〜Ｓ２０１７：図４の動作ステップと同様のため説明を省略する。
【０２３８】
ここで、番組関連情報を一括で取得する場合は、データ量が多い場合に取得に時間がかかるため、現在視聴中または放送中の番組を最優先とし、次に当日分、昨日分、翌日分さらに過去分というように優先順位により情報を取得するようにしても良い。
また、現在放送中の番組の過去も含む直近の情報は、番組の途中で情報が更新されたり、番組終了後に最新情報が更新されることがあるため、この期間の更新周期を短くすることもできる。
【０２３９】
［画面表示例］
次に、図２０から図２３を用いて、無線端末３の入力手段４１がユーザーからの操作を受け、無線端末３にＥＰＧ画面を表示して、番組関連詳細情報を表示する場合について画面表示の例を用いて説明する。
【０２４０】
図２０は、無線端末３に表示されるＥＰＧ画面の表示例を示す図である。
番組３５２は、現在視聴中の番組を示し、現在視聴中の番組とそれ以外の番組を区別して表示される。本実施例では、ＥＰＧ画面３５１の現在視聴中の番組３５２は、破線枠で表示されているが、色を付す、番組名のフォントを変えるなどで区別できるようにしても良い。
図２０において、無線端末３に表示される現在放送中の番組３５２をタップ操作したときの画面表示例を図２０に示す。
【０２４１】
図２１は、番組詳細内容画面の表示例を示す図である。
番組詳細内容画面３５３の「戻る」ボタン３５６をタップ操作することにより、直前の画面の図２０に示す画面に戻ることができる。また、「予約」ボタン３５４をタップ操作すると、本実施例では図示はしていないが予約設定画面に遷移することができる。現在放送中の番組の場合は、予約設定を行うことにより直ちに録画を開始するようにできる。
番組詳細内容画面３５３の「関連情報」ボタン３５５をタップ操作により選択すると、図２２に示すように番組関連表示部３１４に番組関連情報内容が表示される。
【０２４２】
図２２は、番組関連情報内容画面の表示例を示す。図８に対して、「戻る」ボタン３５７が追加になっている。「戻る」ボタン３５７をタップ操作することにより、直前の画面の図２１に示す画面に戻ることができる。
「戻る」ボタン３５７以外の機能については、第一の実施形態の図８、または第三の実施形態の図１５の説明と同様のため、説明を省略する。
【０２４３】
図２３は、図２２における番組関連情報内容の表示方法の変形例を示す図である。
図２０において、番組３５２は現在視聴中の番組を示し、現在視聴中の番組とそれ以外の番組を区別して表示される。現在放送中の番組３５２をタップ操作すると、図２１に示すように、番組詳細内容画面３５３が表示される。
番組詳細内容画面３５３の「関連情報」ボタン３５５をタップ操作により選択すると、図２３に示すような関連情報一覧表示画面３５８が表示される。
【０２４４】
関連情報一覧表示画面３５８は、ＥＰＧ画面と同様に取得した番組配列情報に基づいてサービスＩＤを横に配列し、各サービスＩＤごとに時系列に沿って現在放送中の番組を基準に上方向（過去の番組３５９）および下方向（現在／次／先の番組３６０）に番組欄を並べたものである。
【０２４５】
ここで、現在／次／先の番組３６０は、番組配列情報のイベントＩＤにより一意に識別することができるが、過去の番組３５９は、同じイベントＩＤが他の番組に付与される可能性があり一意性が保証されないために、図３（ｂ）に示すデータ形式からイベントＩＤを除いた情報（ネットワークＩＤ，サービス ＩＤ、日付、開始時刻（終了時刻）、イベント名称（番組タイトル））により識別される。
【０２４６】
また、過去の番組３５９は、ストレージのメモリ容量との兼ね合いなどにより過去に遡れる範囲を限定しても良い。
【０２４７】
図２３において、番組関連情報３６１は現在放送中の番組の中から現在視聴中の一つの番組を示している。番組関連情報３６１をタップ操作により選択すると、第一の実施形態の図２２に示すような番組関連情報画面が表示される。
【０２４８】
このように、本実施例では、第一の実施形態の効果に加え、テレビ受信機１でテレビ放送を視聴するユーザーは、視聴している番組表と連携することにより、番組内容を確認しながら関連情報画面でキーワードに係る文字列をタップ操作により選択し、インターネット網をはじめとする外部ネットワークを介して関連情報を取得することができる。また、また、過去の番組についても、キーワード、リンク情報またはコンテンツ配信情報の詳細情報も各番組毎に関連付けて保存されるため、番組終了後でも日にち、曜日、時刻、番組タイトル等から関連情報を探すことが容易となる。
【０２４９】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０２５０】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０２５１】
また、各処理例で説明したプログラムは、それぞれ独立したプログラムでもよく、複数のプログラムが一つのアプリケーションプログラムを構成していてもよい。
【０２５２】
また、制御線や情報線は説明上必要と考えられるものを示しており、製品上必ずしも全ての制御線や情報線を示しているとは限らない。実際には殆ど全ての構成が相互に接続されていると考えてもよい。
【０２５３】
また、上記実施例では、表示部８を備えたＴＶ１、ＴＶ２等を用いて実施例の説明を行ったが、表示部を外部に備えたＳＴＢやレコーダー等によっても同様にして本発明を実施することができる。
【符号の説明】
【０２５４】
１  テレビ受信機１
２  テレビ受信機２
３  無線端末１
５  無線ルーター
６  外部ネットワーク
７  番組関連情報配信サーバー
８  放送局
９  基地局
１２  チューナ・復調部
１３  選局制御部
１４  信号分離部
１５  音声復号部
１６  スピーカ
１７  音声出力部
１８  映像復号部
１９  重畳部
２０  表示部
２１  映像出力部
２２  通信Ｉ／Ｆ
２３  入力手段
２４  制御部
２５  メモリ
２６  ストレージ
２７  デジタルＩ／Ｆ
３１  チューナ・復調部
３２  信号分離部
３３  メモリ
３４  ストレージ
３５  加速度センサ部
３６  地磁気センサ部
３７  制御部３７
３８  表示部
３９  通信Ｉ／Ｆ
４０  移動体通信Ｉ／Ｆ
４１  入力手段
４２  ＧＰＳ受信部
４３  ジャイロセンサ部
５０  通信Ｉ／Ｆ
５１  制御部
５２  メモリ
５３  ストレージ
【図１（ａ）】
2014116869.tif 000003
【図１（ｂ）】
2014116869.tif 000004
【図１（ｃ）】
2014116869.tif 000005
【図１（ｄ）】
2014116869.tif 000006
【図２（ａ）】
2014116869.tif 000007
【図２（ｂ）】
2014116869.tif 000008
【図２（ｃ）】
2014116869.tif 000009
【図３（ａ）】
2014116869.tif 000010
【図３（ｂ）】
2014116869.tif 000011
【図３（ｃ）】
2014116869.tif 000012
【図４】
2014116869.tif 000013
【図５】
2014116869.tif 000014
【図６】
2014116869.tif 000015
【図７】
2014116869.tif 000016
【図８】
2014116869.tif 000017
【図９】
2014116869.tif 000018
【図１０】
2014116869.tif 000019
【図１１】
2014116869.tif 000020
【図１２】
2014116869.tif 000021
【図１３】
2014116869.tif 000022
【図１４】
2014116869.tif 000023
【図１５】
2014116869.tif 000024
【図１６】
2014116869.tif 000025
【図１７】
2014116869.tif 000026
【図１８】
2014116869.tif 000027
【図１９】
2014116869.tif 000028
【図２０】
2014116869.tif 000029
【図２１】
2014116869.tif 000030
【図２２】
2014116869.tif 000031
【図２３】
2014116869.tif 000032